(57)【要約】【課題】建築構造案に適した受注機器の仕様案を迅速に作成する。【解決手段】設備設計者側には、ＷＷＷサーバ１１、データベースサーバ１２が設置されている。データベースサーバ１２は、各製品のＣＡＤシンボルが登録された図面データベース９を有している。各製品のＣＡＤシンボルには、それぞれ、製品の設置のために確保する必要があるスペースを表す有効スペース情報、製品名を表す製品名情報、製品の構造上の特徴(サイズ、形状等)を表す構造情報、製品の仕様情報、オプションデータ等が含まれている。一方、ＷＷＷサーバ１１は、受注製品の要求仕様データをＷＷＷクライアント端末２から受け付けるとともに受注製品のＣＡＤシンボルをＷＷＷクライアント端末側から取りだし可能とするシンボル生成用データインタフェース３を有している。【選択図】図１
2006344247.tif 000002
【特許請求の範囲】
【請求項１】
製品の占有スペースを表す有効スペース情報を含むＣＡＤシンボルが格納されたデータベースと、
１以上の機器を含む受注製品の要求仕様の入力を受け付ける第一入力受付手段と、
前記第一入力受付手段が入力を受け付けた要求仕様に基づき、前記受注製品の占有スペースを定め、当該占有スペースに適合する有効スペース情報を含んだＣＡＤシンボルを前記データベースから取りだすデータ取出手段と、
前記データ取出手段が取りだしたＣＡＤシンボルを、前記受注製品の要求仕様の入力元へと出力するデータ出力手段とを備えることを特徴とする遠隔受注設計システム。
【請求項２】
請求項１記載の遠隔受注システムであって、
前記データベースから前記ＣＡＤシンボルが取り出せない場合に、前記入力受付手段が受け付けた要求仕様に基づいて、前記受注製品のＣＡＤシンボルを生成するＣＡＤシンボル自動生成手段、を備え、
前記データ出力手段は、
前記データベースから前記ＣＡＤシンボルが取り出せない場合には、前記ＣＡＤシンボル自動生成手段が生成したＣＡＤシンボルを出力することを特徴とする遠隔受注設計システム。
【請求項３】
請求項１または２記載の遠隔受注設計システムであって、
製品に含まれる機器の配置規則を表す１以上の配置規則情報が格納された製品仕様データベースと、
前記受注製品のＣＡＤシンボルを含んだ建築データの入力を受け付ける第二入力受付手段と、
前記第二入力受付手段が受け付けた建築データから、前記受注製品のＣＡＤシンボルの有効スペース情報が表す占有スペース内の構造特徴を抽出し、前記受注製品の設置領域内における干渉の有無を、当該構造特徴に基づき判断する構造特徴抽出手段と、
前記受注製品の設置領域において干渉が発生しないと判断された場合に、前記製品仕様データベースから、前記ＣＡＤシンボルに対応する配置規則情報を取りだし、当該配置規則情報と前記建築データとに基づき、前記受注製品の据付図面データを作成する据付図面生成手段とを備え、
前記データ出力手段は、
前記第二入力受付手段が建築データを受け付けた場合には、前記据付図面生成手段が作成した据付図面データを、前記建築データの入力元に出力することを特徴とする遠隔受注設計システム。
【請求項４】
請求項３記載の遠隔受注設計システムであって、
前記第二入力受付手段が入力を受け付けた建築データを、当該建築データの入力元に対応付けて保存する建築データ保存手段と、
変更後の建築データを前記第二入力受付手段が受け付けた場合に、当変更後の建築データと変更前の建築データとの差分を算出し、前記変更後の建築データに定められた受注製品設置領域における干渉の有無を、当該差分に基づき判断する訂正管理手段とを備え、
前記据付図面生成手段は、
前記変更後の建築データにおける受注製品設置領域で干渉が発生しないと判断された場合には、前記配置規則情報と前記変更後の建築データとに基づき、前記受注製品の据付図面データを作成することを特徴とする遠隔受注設計システム。
【請求項５】
情報処理装置に設計処理を実行させるためのプログラムが格納された記録媒体であって、
前記プログラムは、
１以上の機器を含む受注製品のＣＡＤシンボルに含まれている有効スペース情報が表す占有スペース内の構造特徴を建築データから抽出する構造特徴抽出処理と、
前記構造特徴抽出処理の結果に基づき、前記受注製品の設置領域において干渉が発生しないと判断された場合に、製品仕様データベースから、前記ＣＡＤシンボルに対応する配置規則情報を取りだして、当該配置規則情報が表す機器の配置規則と、前記建築データとに基づき、前記受注製品の据付図面データを作成する据付図面生成処理と、
を、前記情報処理装置に実行させることを特徴とする記録媒体。
【請求項６】
コンピュータから、ネットワーク経由でユーザ端末にエレベータ据付図を配布するエレベータ遠隔受注方法であって、
前記ユーザ端末から順次与えられるデータに基づき、前記コンピュータに、前記エレベータ据付図を段階的に完成させるための手続を含み、
当該手続は、
前記コンピュータが、前記エレベータの設置ビルに関するビル情報の入力をネットワーク経由で受け付けると、前記ビル情報に応じたエレベータの機種および設置台数を、前記ビル情報の入力元に返信するステップと、
前記コンピュータが、前記エレベータに関する要求仕様の入力をネットワーク経由で受け付けると、当該要求仕様に適合するＣＡＤシンボルを、当該要求仕様の入力元に返信するステップと、
前記コンピュータが、前記ＣＡＤシンボルを含む建築データの入力をネットワーク経由で受け付けると、当該建築データを基礎とした前記エレベータ据付図を、当該建築データの入力元に返信するステップと、
のうちの２以上のステップをこの順で、または、１つのステップ含むことを特徴とするエレベータ遠隔受注方法。
【請求項７】
請求項６記載のエレベータ遠隔受注方法であって、
前記手続には、さらに、
前記コンピュータが、前記エレベータの内装部品の意匠に関する要求仕様の入力をネットワーク経由で受け付けると、当該要求仕様に応じた意匠図面を、当該要求仕様の入力元に返信するステップを、
含むことを特徴とするエレベータ遠隔受注方法。
【請求項８】
請求項６または８記載のエレベータ遠隔受注方法であって、
前記少なくとも１のステップにおいて、当該ステップにおける入力データと返信データとを含む情報が前記コンピュータの制御下で保存され、当該保存された情報を次のステップにおいて利用するための識別情報が前記返信データとともに返信され、
前記コンピュータは、
前記識別情報を受け付けると、当該識別情報に対応付けられた過去の入力データおよび返信データを、次のステップの入力データとして利用することを特徴とするエレベータ遠隔受注方法。
【請求項９】
コンピュータから、ネットワーク経由でユーザ端末にエレベータ据付図を配布するエレベータ遠隔受注方法であって、
前記ユーザ端末から順次与えられるデータに基づき、前記コンピュータに、前記エレベータ据付図を段階的に完成させるための手続を含み、
当該手続は、
前記コンピュータが、前記エレベータが設置される建築物に関する建築物情報の入力をネットワーク経由で受け付けると、前記建築物情報に応じたエレベータの少なくとも機種に関する情報を、前記建築物情報の入力元に返信するステップと、
前記コンピュータが、前記エレベータに関する要求仕様の入力をネットワーク経由で受け付けると、当該要求仕様に適合するＣＡＤシンボルを、当該要求仕様の入力元に返信するステップと、
前記コンピュータが、前記ＣＡＤシンボルを含む建築データの入力をネットワーク経由で受け付けると、当該建築データを基礎とした前記エレベータ据付図を、当該建築データの入力元に返信するステップと、
のうちの１つのステップ、または、２以上のステップをこの順で含むことを特徴とするエレベータ遠隔受注方法。
【発明の詳細な説明】
【技術分野】
【０００１】
本発明は、受注製品の設計システムおよびエレベータの受注支援方法に関する。
【背景技術】
【０００２】
建築工程においては、通常、これを構成する各工程にそれぞれコンピュータ援用設計システム(以下、ＣＡＤシステムと呼ぶ)が導入されている。例えば、特開平６−８９３１４号公報には、建築工程のうち、特に設備設計工程に適用されるシステムが記載されている。このシステムによれば、建築設計者の要求仕様にあった機器を迅速に設計することができる。
【０００３】
ところが、工程と工程との間の情報伝達は、専ら紙を媒介に行われている。例えば、建築躯体設計工程と設備設計工程との間等においては、通常、紙面を用いた仕様伝達や仕様突き合わせ(建家と機器との取合い検討、機器の取付け構造検討)が行われている。
【０００４】
ところで、ＣＡＤシステム間におけるＣＡＤデータの授受に関しては、中間ファイルフォーマットを規定する規格「ＤＸＦ形式」が、データ交換形式の事実上の標準となっている。例えば、日経ＢＰ社１９９７年８月発行「続・建築ＣＡＤ賢い使い方」(Ｐ６３〜Ｐ６９)には、建築業者等が、インターネット、パソコン通信等を利用して、様々な機器のＣＡＤシンボルデータ(ＤＸＦ形式)を機器メーカー側(機器設計者側)から取得することができるシステムが記載されている。このシステムによれば、建築設計者は、必要な機器の形状やサイズを迅速かつ容易に把握することができ、その把握内容に基づいて、その機器が設計中の建屋躯体に収まるかどうかの取り合い検討を行うことかできる。
【発明の開示】
【発明が解決しようとする課題】
【０００５】
ところが、上記従来のＤＸＦ形式においては、線分、円弧、円等、図形要素レベルのデータ表現がなされており、建物を構成する構造物、例えば、壁、柱、梁等に対応したデータ表現はなされていない。すなわち、単なる設計図を描く情報のみが授受され、設計図上における意味を理解するための情報の授受はなされない。したがって、機器設計者は、各物件ごとに、それぞれ、その設計図に表された建築構造を理解した上で、さらに、機器の取付け構造を決定するための特徴、例えば、柱や梁等の建築要素の有無、取付け機器とその周辺建築要素との位置関係、構造物のサイズや材質等を設計図から抽出する必要がある。このため、機器設計者側における処理、すなわち、建築設計者の建築構造案に適した機器の仕様案の作成処理に時間を要している。
【０００６】
ところで、ＩＦＣ(Industria1 Foundation C1asses)、ＳＴＥＰ等、業界標準の建築プロダクトモデル形式の策定が進み、ＣＡＤシステムを含んだ関連システムの連携が実現されつつある。その関連技術が、建築知識社１９９８年６月発行パドマガ「建築ＣＡＤデータの有効活用と標準化(1)」(Ｐ.１１７〜Ｐ.１２４)に記載されている。この技術とは、モデル表現に必要なオブジェクト(、壁、ドア、等)の集合をクラスライブラリとして定義しておき、このクラスから生成されたオブジェクトに対してアクセスや計算を行うものである。このような、標準プロダクトモデルのＣＡＤデータ交換技術によれば、上述のＤＸＦ形式では不可能であった、梁や柱等の建築要素の定義データの交換が可能となる。
【０００７】
しかし、このような、標準プロダクトモデルのＣＡＤデータ交換技術を採用しても、建築設計者の建築構造案に適した機器の仕様案の作成処理に時間を要する点においては変わりがない。機器の取付け構造を決定するにあたり、その機器に関連するオブジェクトを大規模かつ複雑な構造の建築データのなかから取りだし、その機器の取付け構造を決定するための特徴(柱や梁等の有無、取付け機器とその周辺構造物との位置関係等)を把握した上で、その機器と建築構造との干渉チェックを行う必要があるからである。さらに、建築構造案は、設計が進む過程で変更が繰り変えされるため、そのたびに、機器設計者側では、いちいち、機器と変更後の建築構造との干渉チェックをやりなおす必要がある。そして、このような処理には迅速性が求められている。
【０００８】
そこで、本発明は、設計中の建築物に受注機器の適切に据付けることができる据付け構造案を迅速に作成することができる遠隔受注設計システムを提供することを目的とする。さらに、本発明は、製品受注成立に到るまでの受注処理を支援する遠隔受注方法を提供することを目的とする。
【課題を解決するための手段】
【０００９】
上記課題を解決するため、本発明は、
製品の占有スペースを表す有効スペース情報を含んだＣＡＤシンボルが格納されたデータベースと、
１以上の機器を含んだ受注製品の要求仕様の入力を受け付ける第一入力受付手段と、
前記第一入力受付手段が入力を受け付けた要求仕様に基づき、前記受注製品の占有スペースを定め、当該占有スペースに適合する有効スペース情報を含んだＣＡＤシンボルを前記データベースから取りだすデータ取出手段と、
前記データ取出手段が取りだしたＣＡＤシンボルを、前記受注製品の要求仕様の入力元へと出力するデータ出力手段とを備えることを特徴とする遠隔受注設計システムを提供する。
【００１０】
本発明に係る遠隔受注設計システムによれば、前記受注製品の要求仕様の入力元は、受注製品の占有スペースを表す有効スペース情報を含んだＣＡＤシンボルを得ることができる。受注製品の要求仕様の入力元において、このＣＡＤシンボルを含む建築データが作成されれば、この建築データから、受注製品の占有スペース内における干渉の有無を、演算処理により迅速に検出することができる。したがって、例えば、本発明に係る遠隔受注設計システムに、さらに、
製品に含まれる機器の配置規則を表す１以上の配置規則情報が格納された製品仕様データベースと、
前記受注製品のＣＡＤシンボルを含んだ建築データの入力を受け付ける第二入力受付手段と、
前記第二入力受付手段が受け付けた建築データから、前記受注製品のＣＡＤシンボルの有効スペース情報が表す占有スペース内の構造特徴を抽出し、前記受注製品の設置領域内における干渉の有無を、当該構造特徴に基づき判断する構造特徴抽出手段と、
前記受注製品の設置領域において干渉が発生しないと判断された場合に、前記製品仕様データベースから、前記ＣＡＤシンボルに対応する配列規則情報を取りだし、当該配列規則情報と前記建築データとに基づき、前記受注製品の据付図面データを作成する据付図面生成手段とを設けて、
前記データ出力手段が、
前記第二入力受付手段が建築データを受け付けた場合には、前記据付図面生成手段が作成した据付図面データを、前記建築データの入力元に出力するようにすれば、
受注製品の占有スペース内における干渉の発生の有無が、受注製品の要求仕様の入力元において作成された建築データに基づいて迅速に自動チェックされるため、従来のように機器設計者の判断で干渉チェックを行っていた場合よりも迅速に、受注製品を適切に建屋に設置できる据付図面データを、受注製品の要求仕様の入力元に提供することができる。また、機器設計者の労力が軽減される。
【００１１】
さらに、このような遠隔受注設計システムに、
前記第二入力受付手段が入力を受け付けた建築データを、当該建築データの入力元に対応付けて保存する建築データ保存手段と、
変更後の建築データを前記第二入力受付手段が受け付けた場合には、当該変更後の建築データと変更前の建築データとの差分を算出し、前記変更後の建築データに定められた受注製品設置領域における干渉の有無を、当該差分に基づき判断する訂正管理手段とを設けて、
前記据付図面生成手段が、
前記変更後の建築データにおける受注製品設置領域で干渉が発生しないと判断された場合には、前記配列規則情報と前記変更後の建築データとに基づき、前記受注製品の据付図面データを修正するようにしておけば、
設計過程において建築データに繰り返し変更が加えられるようなことがあっても、建築データの変更による新たな干渉の発生も迅速に自動チェックされるため、機器設計者の労力が削減されるとともに、受注製品の要求仕様の入力元による修正据付図面データ入手時間の短縮化が図られる。
【００１２】
また、本発明は，上記課題を解決するため，さらに、
コンピュータから、ネットワーク経由でユーザ端末にエレベータ据付図を配布するエレベータ遠隔受注方法であって、
前記ユーザ端末から順次与えられるデータに基づき、前記コンピュータに、前記エレベータ据付図を段階的に完成させるための手続を含み、
当該手続は、
前記コンピュータが、前記エレベータが設置される建築物に関する建築物情報の入力をネットワーク経由で受け付けると、前記建築物情報に応じたエレベータの少なくとも機種に関する情報を、前記建築物情報の入力元に返信するステップと、
前記コンピュータが、前記エレベータに関する要求仕様の入力をネットワーク経由で受け付けると、当該要求仕様に適合するＣＡＤシンボルを、当該要求仕様の入力元に返信するステップと、
前記コンピュータが、前記ＣＡＤシンボルを含む建築データの入力をネットワーク経由で受け付けると、当該建築データを基礎とした前記エレベータ据付図を、当該建築データの入力元に返信するステップと、
のうちの１つのステップ、または、２以上のステップをこの順で含むことを特徴とするエレベータ遠隔受注方法を提供する。
【発明の効果】
【００１３】
本発明によれば、受注機器と周辺機器との干渉チェックを演算処理により正確かつ迅速に行うことができるため、設計中の建築物に受注機器の適切に据付けることができる据付け構造案を迅速に作成することができる。これにより、建築設計者には、(１)設備の据付構造の早期把握による設計期間の短縮化という利益が与えられ、機器設計者には、(２)建築構造に応じた機器の据付け図面の作成処理の簡略化および簡単化が図られるという利益が与えられる。
【００１４】
また、建屋躯体に設備機器が収まるか否かの取合い検討において、建築設計者は、要求仕様を満たす設備機器が周辺建築要素と干渉を起こすか否かを、一見して確認することができる。これにより、取合い検討の迅速化および簡単化が図られるため、このことによっても、建築設計者が据付け構造案を入手するまで期間の短縮化が図れられる。
【００１５】
さらに、本発明によれば、エレベータ発注者とエレベータ受注者とのあいだの一連の取引手続をネットワーク経由で行うことができる。
【発明を実施するための最良の形態】
【００１６】
以下、添付の図面を参照しながら、本発明に係る実施の一形態について説明する。
【００１７】
最初に、図１により、本実施の形態に係る遠隔受注設計システムの構成について説明する。
【００１８】
建築設計者側には、広域ネットワークに接続されたＷＷＷクライアントであるユーザ端末２が設置されている。このユーザ端末２(以下、建築設計者用ユーザ端末２と呼ぶ)には、ＷＷＷを利用するために必要なブラウザ、標準プロダクトモデル対応のＣＡＤプログラムがインストール済みである。
【００１９】
一方、設備設計者側には、広域ネットワークに接続されたＷＷＷサーバ１１、データベースサーバ１２、ユーザ端末１(以下、機器設計者用ユーザ端末１と呼ぶ)が設置されている。そして、これらは、互いにＬＡＮで相互に接続されている。
【００２０】
ＷＷＷサーバ１１は、(1)受注製品の要求仕様データを建築設計者用ユーザ端末２から受け付けるとともに受注製品のＣＡＤシンボルをＷＷＷクライアント端末側から取りだし可能とするシンボル生成用データインタフェース３、(2)受注製品の据付け構造検討依頼を建築設計者用ユーザ端末２から受け付けるとともに受注製品の据付け構造データをＷＷＷクライアント端末側から取りだし可能とする据付図作図依頼インタフェース８、(3)ＣＡＤシンボルを自動生成するＣＡＤシンボル自動生成処理部７を有している。なお、これらは、いずれも、ＣＧＩプログラム等のソフトウエアにより実現される機能構成である。
【００２１】
データベースサーバ１２は、図面データベースが格納された外部記憶装置９を備えている。この図面データベースには、各製品のＣＡＤシンボルが登録されている。そして、各ＣＡＤシンボルには、それぞれ、製品名を表す製品名情報、製品の構造上の特徴(サイズ、形状等)を表す構造情報、カゴの容量データ(定員、積載荷重)およびドア開き方データ(中央開き等)を含む仕様情報、製品の設置のために確保する必要があるスペース(以下、占有スペースと呼ぶ)を表す有効スペース情報、オプションデータ等が含まれている。
【００２２】
機器設計者用ユーザ端末１は、ハードディスクからメモリに読み込まれたプログラムにより実現される機能構成を有している。具体的には、この機器設計者用ユーザ端末１は、受注製品の据付け構造を決定するために必要な構造特徴を建築データから抽出する建築データ自動読込み部４、建築データ自動読み込み部４が抽出した構造特徴に基づき干渉チェックを行ってから構成機器選定等を行う機器選定・配置計算処理部５、機器選定・配置計算処理部５の処理結果に基づき据付図面データを作成する据付図自動作成処理部６、建築データが変更された場合に変更前後の建築データの差分に基づき干渉チェックを行う仕様訂正管理部１０等を有している。
【００２３】
また、この機器設計者用ユーザ端末１のハードディスクには、標準プロダクトモデル対応のＣＡＤプログラムがインストールされているほか、製品仕様データベースおよび構造特徴データベースが格納されている。
【００２４】
製品仕様データベースには、各製品ごとに、それぞれ、その製品の据付け構造を表す配置規則情報が登録されている。例えば、エレベータに関してであれば、その配置規則情報には、エレベータの構成機器名(カゴ、巻き上げ機等)、エレベータの構成機器を取付けるための取付け部品名(中間ビーム、レール等)、エレベータの取付け構造の強度計算の一連の手続、エレベータの構成機器の型式と機器仕様(カゴの場合には、幅と奥行き)とを対応付けたテーブル、エレベータの構成機器間の位置関係を表す条件式等が含まれている(図１４参照)。
【００２５】
また、構造特徴データベースには、後述の昇降路関連建築データ自動読込み処理処理において、昇降路へのエレベータの据付けに関連する建築要素が登録される。
【００２６】
このシステムにおいて実行される遠隔受注設計処理の説明に先立ち、ここで、受注製品の例として挙げるロープ式エレベータの構造について説明しておく。
【００２７】
ロープ式のエレベータは、図２に示すように、垂直昇降路内に配されたカゴと釣合いおもりとをつないだワイヤーロープを巻き上げ機の胴巻きに巻き掛けて、この巻き上げ機の動力によって、カゴを昇降路内で昇降させるものである。そして、巻き上げ機等を制御する制御盤は、建屋の屋上には設置された機械室内部に収納されている。また、昇降路の下端には、緩衝装置等の安全装置が設けられている。
【００２８】
このようなエレベータを建屋に取り付けるには、図３に示すように、建屋の梁に中間ビームを渡し、カゴおよび釣合いおもりを案内するためのレールが、この中間ビームにレールブラケットで固定される。ただし、建屋の建築構造によっては、カゴ案内用のレールが建屋の壁に直接固定されることもある。このようなエレベータを建屋に複数機設ける場合には、複数のカゴが昇降路内に配される点が異なるが、基本的な取付け方法は、これと変わらない。
【００２９】
さて、エレベータの昇降路の寸法(間口寸法、奥行き寸法)は、これらの構成機器(カゴ、カゴ案内用のレール等)の設置に必要となる占有スペースが確保されるように定められていなければならない。機器設計者側で行われる取合い検討においては、このような昇降路寸法が確保されているか否か、すなわち、建築設計者の要求仕様(定員、積載重量等)を満たすサイズのカゴ等の据付けに必要とされる占有スペースに柱等が食い込まないように昇降路寸法が定められているか否かが判断される。
【００３０】
以下、このようなエレベータを受注製品の例に挙げて、図１に示したシステムにおいて実行される一連の遠隔処理のうち、主として建築設計者用ユーザ端末２とＷＷＷサーバ１１との間で実行されるＣＡＤシンボル取得処理について、図４および他の図(図５〜図１１)により説明する。なお、ここでは、建築設計者が、建築設計者用ユーザ端末２上でＣＡＤプログラムを起動し、それにより立ち上がったＣＡＤウィンドウ上でエレベータ付き建屋の建築設計を行っていることとする。
【００３１】
エレベータ付きの建屋を設計している建築設計者は、その設計過程において、エレベータの収まりを検討する必要がある。そのため、建築設計者は、エレベータの設置のために必要とされる昇降路寸法や、設計図上の昇降路内にエレベータが収まるか否かを知る必要が生じる。
【００３２】
このような場合等に、建築設計者が、建築設計者用ユーザ端末２上でブラウザを起動すると、建築設計者用ユーザ端末２とＷＷＷサーバ１１とのコネクションが確立されるとともに、図５に示すようなエレベータ設計ＷＷＷページが開かれる(Ｓ４０１)。このエレベータ設計ＷＷＷページ上には、各エレベータごとに、それぞれ、エレベータの用途の入力を受け付けるエレベータ用途入力ボックス５０、エレベータの基本仕様の指定の入力を受け付ける仕様番号入力ボックス５１、エレベータのドアの開き方の入力を受け付けるドア開き方向入力ボックス５２、が配置されているので、建築設計者は、設置台数分のエレベータの各入力ボックス５１,５２,５３に、それぞれ、適当なデータを入力する必要がある。ただし、このエレベータ設計ＷＷＷページ上では、エレベータの用途がエレベータ用途入力ボックスに入力されると、その用途に用いられるエレベータの基本仕様の一覧５４、具体的には、カゴの容量(定員、積載量)と上昇・下降速度との対応情報の一覧が表示されるようになっているため、建築設計者は、この一覧のなかから適当な基本仕様を選択して、その番号を番号入力ボックスに入力すればよい。なお、トランクの有無、カウンターウェイト位置等のオプション選択を、あわせて、このエレベータ設計ＷＷＷページ上で行うようにしてもよい。
【００３３】
建築設計者が、必要台数のエレベータについての基本仕様データ等の設定が終了してから、さらにシンボル表示ボタン５３をクリックすると、基本仕様データおよびドア開き方向データを含んだＣＡＤシンボル検索依頼がＷＷＷサーバ１１に送られる(Ｓ４０２)。
【００３４】
このＣＡＤシンボル検索依頼を受け付けたＷＷＷサーバ１１は、受信データから基本仕様データおよびドア開き方向データを取りだし、これらを要求仕様データとしてバッファメモリに格納するとともに、この要求仕様データの基本仕様データを検索キーとしたデータベース検索をデータベースサーバ１２に依頼する。なお、このときの、データベースサーバ１２への依頼処理は、メモリ上に読み込まれたＣＧＩプログラム(図７参照)の実行により実現される。
【００３５】
データベースサーバ１２は、図面データベースを検索し、検索キーとして指定された基本仕様データ等を含んだＣＡＤシンボルを図面データベースから取りだし、これをＷＷＷサーバ１１に返信する。このとき、データベース検索に失敗したら、その旨のメッセージをＷＷＷサーバ１１に返信する。
【００３６】
ＷＷＷサーバ１１は、データベースサーバ１２からの返信データを受け付けると、この返信データに応じて以下の処理を実行する。
【００３７】
返信データにＣＡＤシンボルが含まれていた場合、ＷＷＷサーバ１１は、建築設計者用ユーザ端末２に、基本仕様データ等の入力に対する応答として、このＣＡＤシンボルを送信する(図７参照)。これにより、建築設計者用ユーザ端末２のエレベータ設計ＷＷＷページ上には、図６に示すように、このＣＡＤシンボル、すなわち、建築設計者の要求仕様に適合したエレベータの構造および有効スペースがパラメトリック表現で表示される。なお、図６には、１台のエレベータのＣＡＤシンボルの表示例を示したが、建築設計者が複数台のエレベータの基本仕様等が設定された場合には、複数台のエレベータのＣＡＤシンボル、すなわち、複数台のエレベータの集合体の構造および有効スペースがパラメトリック表現で表示される。
【００３８】
一方、データベース検索に失敗した旨のメッセージが返信データに含まれていた場合、ＷＷＷサーバ１１は、要求仕様に適合したＣＡＤシンボルの作成が終了したらその格納場所を報告する電子メールを送信する旨のメッセージを、建築設計者用ユーザ端末２のエレベータ設計ＷＷＷページ上に表示させる。あわせて、この電子メッセージの送信先メールアドレスの入力を要求する。この要求に対する応答を受け付けたＷＷＷサーバ１１は、一旦、建築設計者用ユーザ端末２とのコネクションを切断する(図８参照)。
【００３９】
そして、ＣＡＤシンボル自動生成処理部７が、予め定めた規則にしたがって、建築設計者指定の基本仕様データを、エレベータの各構成部品の形状寸法(カゴ
の形状およびサイズ、釣合いおもりの形状およびサイズ等)に変換し、さらに、
それらの構成部品の組立て品のまわりに、その大きさに応じた占有スペースを設定する。さらに、ここで定めた占有スペースおよび各構成部品の形状寸法、製品名情報、要求仕様データ等を用いて、所定の情報(製品名情報、構造情報、仕様
情報、有効スペース情報、オプションデータ等)を含んだＣＡＤシンボルを作成
する(Ｓ４０３)。
【００４０】
そのあと、ＷＷＷサーバ１１は、新たに作成したＣＡＤシンボルの登録を、データベースサーバ１２に依頼するとともに、ＣＡＤシンボルの完成とその格納場所を通知する設計建築者宛ての電子メールの配信をネットワーク上のメールサーバに依頼する(図９および図１０参照)。なお、このときの、データベースサーバ１２およびメールサーバへの依頼処理は、いずれも、メモリ上に読み込まれたＣＧＩプログラムの実行により実現される。
【００４１】
建築設計者が、ＷＷＷサーバ１１からの電子メールの着信により、ＣＡＤシンボルの完成とその格納場所を知って、そのＣＡＤシンボルを格納場所からダウンロードすると(図１１参照)、建築設計者用ユーザ端末２のエレベータ設計ＷＷＷページ上には、そのＣＡＤシンボル、すなわち、建築設計者の要求仕様に適合したエレベータの構造および有効スペースがパラメトリック表現で表示される。
【００４２】
建築設計者は、このエレベータ設計ＷＷＷページ上からＣＡＤシンボルを、ドラッグ・アンド・ドロップによって、ＣＡＤウィンドウ上で作成中の建築設計図に配置するだけで、要求仕様を満たすエレベータが周辺建築要素と干渉を起こすか否かを、一見して確認することができる(Ｓ４０４)。例えば、ＣＡＤシンボルの有効スペース情報が表す占有スペースが、周辺建築要素(柱、壁等)に重なり合っていれば、建築設計者は、自身の要求仕様を満たすエレベータが、建築設計図上の昇降路内に収まりきらないものであると判断し、エレベータの要求仕様および作成中の建築設計図上の昇降路寸法のうちの少なくともいずれか一方に変更を加える必要があることを認識することができる。例えば、エレベータの要求仕様に変更を加えるべきと判断した場合には、建築設計者は、適切なＣＡＤシンボルが得られるまで、要求仕様に適宜な修正を加えながら、以上と同様の処理を繰り返せばよい。
【００４３】
さて、ここで、要求仕様を満たすエレベータが周辺建築要素と干渉を起こさないと判断された場合、または、要求仕様を満たすエレベータと周辺建築要素との干渉が建築図面修正により防止されたと判断された場合、設備機器設計者(エレベータ設計者)は、自己の機器設計者用ユーザ端末１においてエレベータ据付け図面作成処理を実行させる。以下、このエレベータ据付け図面作成処理について、図４および他の参考図(図１２〜図１５)により説明する。
【００４４】
建築設計者は、ＣＡＤシンボルを含んだ建築図面データを、自己の建築設計者用ユーザ端末２から、機器設計者用ユーザ端末１へと送信する(Ｓ４０５)。設備機器設計者が、この送信データの受信を確認してから、据付け図面作成処理の実行コマンドを入力装置(キーボード、マウス等)から入力すると、機器設計者用ユーザ端末１では、以下の処理が順次に実行される。
【００４５】
(１)昇降路関連建築データ自動読込み処理(Ｓ４０６)
まず、建築データ自動読込み部４が、建築設計者用ユーザ端末２からの送信データから建築図面データを取りだし、この建築図面データから、昇降路へのエレベータの据付けに関連する建築要素、具体的には、昇降路内にでっぱる可能性のある柱・壁・梁を特徴構造として建屋の各階ごとに抽出する。
【００４６】
具体的には、図１２に示すように、建築データ自動読込み部４が、柱、梁および壁の３種類の建築要素のオブジェクト全てを建築図面データから抽出し(Ｓ９０１)、このオブジェクト群を母集団として、そのなかから、ＣＡＤシンボルの近傍に存在するオブジェクトを、建屋の各階ごとに抽出する。より詳細には、以下の通りである。
【００４７】
建築データ自動読込み部４は、処理対象階パラメータを初期化してから(Ｓ９０２)、ＣＡＤシンボルに含まれている各種情報を取りだす(Ｓ９０３)。
【００４８】
そして、建築データ自動読込み部４は、建築図面上におけるＣＡＤシンボルの位置および向きを算出する(Ｓ９０４)。さらに、ＣＡＤシンボルの位置を原点とし、かつ、ＣＡＤシンボルの正面方向を−Ｙ方向とする直交座標系を新たに定義し、建築図面上における座標系から、この新たな直交座標系へと座標変換を行う。これにより、前述のオブジェクト群の位置座標が、新たな座標系の座標へと変換される。
【００４９】
そして、建築データ自動読込み部４は、前述のオブジェクト群に含まれている処理対象階の壁オブジェクトのなかから、ＣＡＤシンボルの前後左右の壁オブジェクトを抽出する(Ｓ９０５)。このときあわせて、ＣＡＤシンボルと前後左右の壁オブジェクトとの平行性をチェックし、ＣＡＤシンボルと前後左右の壁オブジェクトに対してＣＡＤシンボルが傾いていたら、その傾きに応じた回転角だけ、処理対象階の建築図上の全オブジェクトを回転移動させる。これにより、建築図面上にドラッグ・アンド・ドロップでＣＡＤシンボルが配置されたことに起因する、建築図面上の誤差が修正される。
【００５０】
また、建築データ自動読込み部４は、前述のオブジェクト群に含まれている処理対象階の梁オブジェクトのなかから、ＣＡＤシンボルの前後左右の梁オブジェクトを抽出する(Ｓ９０６)。同様にして、前述のオブジェクト群に含まれている処理対象階の柱オブジェクトのなかから、ＣＡＤシンボルに隣接するコンクリート製の柱オブジェクトを抽出し(Ｓ９０７)、ＣＡＤシンボルに隣接する鉄骨性の柱オブジェクトをさらに抽出する(Ｓ９０８)。そして、処理対象階の階高を算出してから(Ｓ９０９)、処理対象階について行った以上の演算処理の記録をログファイルに出力するとともに、処理対象階について行った以上の演算処理結果と建築図面識別情報(例えば、建築設計者のユーザ名等)とを対応付けた対応情報を特徴構造データベースに格納する(Ｓ９１０)。なお、ログファイルは、建築設計者の作業上の便宜のため、適宜に参照可能である。
【００５１】
そのあと、建築データ自動読込み部４は、処理対象階が建屋の最上階であるか否かを判断し(Ｓ９１１)、最上階でなければ、処理対処階パラメータを１インクリメントしてから(Ｓ９１２)、Ｓ９０５以下に続く処理を繰り返す。
【００５２】
(２)機器選定・配置計算処理(Ｓ４０７)
昇降路関連建築データ自動読込み処理(Ｓ４０６)において、最上階までの各階について、それぞれ、Ｓ９０５〜Ｓ９１０までの処理が実行されたら、ついで、機器選定・配置計算処理部５が、エレベータの配置規則情報を製品仕様データベースから取りだし、これを用いて機器選定・配置計算処理を実行する。
【００５３】
具体的には、図１４に示すように、機器選定・配置計算処理部５は、エレベータの配置規則情報を製品仕様データベースから取りだし、この配置規則情報に含まれているテーブルに定められている対応関係にしたがって、エレベータの構成機器の型式を決定する。例えば、エレベータのカゴであれば、ＣＡＤシンボルに含まれているカゴサイズに対応付けられた型式を採用型式として決定する(Ｓ１０１)。なお、ＣＡＤシンボルが複数台のエレベータを表すものである場合には、各エレベータについて、それぞれ、その構成機器の型式等が配置規則情報にしたがい決定される。
【００５４】
そして、機器選定・配置計算処理部５は、配置規則情報にしたがって、エレベータの構成機器を配置してゆく。具体的には、配置規則情報に含まれている手続きにしたがって強度計算を行うとともに、未配置の構成機器を、すでに配置済みの構成機器に対して、配置規則情報に含まれている条件式を満たす位置関係となるように配置する。なお、ＣＡＤシンボルが複数台のエレベータを表すものである場合には、各エレベータについて、それぞれ、その構成機器の配置位置が配置規則情報にしたがい決定される。
【００５５】
また、機器選定・配置計算処理部５は、建築データ自動読込み部４が特徴構造として抽出した各オブジェクトの座標に基づき、それらのオブジェクトが、建築図面上に画定されているエレベータ占有スペースに食い込んでいるか否かを判断する(Ｓ１０２)。
【００５６】
ここで、エレベータの占有スペースに食い込んだオブジェクトがなければ、機器選定・配置計算処理部５は、エレベータと周辺建築要素とが干渉を起こさないと判断し、配置規則情報に名前が含まれている構成部品(カゴ、巻き上げ機等)を所定の位置に配置し、さらに、配置規則情報に名前が含まれている取付け部品(中間ビーム、ファスナ等)を所定の位置に配置する。
【００５７】
一方、エレベータの占有スペースに食い込んだオブジェクトがあれば、機器選定・配置計算処理部５は、エレベータと周辺建築要素とに干渉が発生する旨を通知する設計建築者宛ての電子メールの配信をネットワーク上のメールサーバに依頼する。この電子メールの着信により、建築設計者は、エレベータと周辺建築要素との間に干渉が起こることを認識することができるため、ただちに、作成中の建築図面データの変更の検討に入ることができる。
【００５８】
エレベータと周辺建築要素とに干渉が発生する旨の電子メールを受け取った建築設計者は、据付け図面データを入手するために、建築設計図の修正を行う必要がある。建築設計者が、その修正後の建築図面データを、自己のユーザ端末２から、機器設計者用ユーザ端末１へと送信すると、建築データ自動読込み部４がその建築図面データから特徴構造を抽出する点は前述の場合と同様であるが、この場合には、特徴構造の抽出後に、仕様訂正管理部１０が、今回抽出された特徴構造と前回抽出された特徴構造(特徴構造データベースに格納されている特徴構造データ)との差分を算出し、この差分に該当するオブジェクトに関してのみ干渉の有無をチェックする。そして、干渉が生じなければ、機器選定・配置計算処理部５が、前述の機器選定・配置計算処理(Ｓ４０７)と同様な処理を実行し、ついで、据付け図面自動作成処理部６が、前述の据付け図面生成処理(Ｓ４０８)と同様な処理を実行することによって、据付け図面データが完成する。
【００５９】
このように、設計過程において建築図面データに変更が加えられるようなことがあっても、建築図面データの変更による新たな干渉の発生も迅速に自動チェックされるため、設備機器設計者の労力が少なくて済み、また、設備機器設計者による据付図面データ入手時間も短縮化される。
【００６０】
エレベータと周辺建築要素とに干渉が発生する旨の電子メールを受け取った建築設計者は、据付け図面データを入手するために、建築設計図の修正を行う必要がある。建築設計者が、その修正後の建築図面データを、自己のユーザ端末２から、機器設計者用ユーザ端末１へと送信すると、建築データ自動読込み部４がその建築図面データから特徴構造を抽出する点は前述の場合と同様であるが、この場合には、特徴構造の抽出後に、仕様訂正管理部１０が、今回抽出された特徴構造と前回抽出された特徴構造(特徴構造データベースに格納されている特徴構造データ)との差分を算出し、この差分に該当するオブジェクトに関してのみ干渉の有無をチェックする。そして、干渉が生じなければ、機器選定・配置計算処理部５が、前述の機器選定・配置計算処理(Ｓ４０７)と同様な処理を実行し、ついで、据付け図面自動作成処理部６が、前述の据付け図面生成処理(Ｓ４０８)と同様な処理を実行することによって、据付け図面データが完成する。
【００６１】
このように、設計過程において建築図面データに変更が加えられるようなことがあっても、建築図面データの変更による新たな干渉の発生も迅速に自動チェックされるため、設備機器設計者の労力が少なくて済み、また、設備機器設計者による据付図面データ入手時間も短縮化される。
【００６２】
(３)据付け図面生成処理(Ｓ４０８)
機器選定・配置計算処理(Ｓ４０７)において、取付け部品の配置位置が決定されたら、ついで、据付図面自動生成処理部６が、機器選定・配置計算処理(Ｓ４０７)において得られたデータに基づき据付図面自動生成処理を実行する。具体的には、エレベータの構成機器および取付け部品を、機器選定・配置計算処理における処理結果により定まる建築図面上の位置に配置する。例えば、３台のエレベータを建屋に設置することが予定されている場合には、この据付図面自動生成処理の実行により、図１５に示すような据付け図面が作成される。そして、この建築図面データを、据付け図面データとして、もとの建築図面の発信元に送信する(Ｓ４０９)。
【００６３】
以上述べた据付け図面作成処理によれば、エレベータの占有スペース内における干渉の発生の有無が演算処理により迅速かつ正確にチェックされるため、従来のように機器設計者の独自の判断で干渉チェックを行っていた場合よりも迅速に、エレベータを適切に建屋に設置できる据付図面データを建築設計者に提供することができる。したがって、エレベータ等の設備の据付け構造の早期把握という、建築設計者側の要求を満たすことができる。また、機器設計者の労力も軽減される。なお、据付け図面作成処理の流れを簡略化して図１３に示したおく。
【００６４】
ところで、以上のネットワークシステムをさらに拡張すれば、より多様なサービスを機器設計者に提供することができる。以下、この拡張システムについて、前述のシステムと異なる点にポイントをおいて説明する。
【００６５】
図１６に示すように、この場合の設備設計者側には、前述のＷＷＷサーバ１１およびデータベースサーバ１２のほか、管理端末１１２、複数のユーザ端末１,１００が設置されている。そして、これらは、前述の場合と同様、互いにＬＡＮによって相互に接続されている。
【００６６】
複数のユーザ端末１,１００のなかには、前述の機器設計者用ユーザ端末１が少なくとも１台含まれているほか、新たな機能を有するユーザ端末１００(以下、意匠設計者用端末１００と呼ぶ)が少なくとも１台含まれている。
【００６７】
この意匠設計者用ユーザ端末１００は、内蔵ハードディスクからメモリ上に読み込まれたソフトウエアおよびＣＰＵによって実現される機能構成として、(1)デザイン情報ファイル等の検索をデータベースサーバ１２に依頼する要求仕様読込部１２２、(2)デザイン情報ファイル等に基づきエレベータ内装構造を決定する構造検討処理部１２３、(3)構造検討処理部１２３の決定結果に基づきエレベータ意匠図データ等を作成する意匠図作成処理部１２４、(4)エレベータ意匠図データの変更要求があった場合に、変更前後の意匠要求仕様の差分を算出する仕様訂正管理部１２５、等を有している。
【００６８】
さらに、この意匠設計者用ユーザ端末１００の内蔵ハードディスクには、標準プロダクトモデルのＣＡＤプログラムがインストールされているほか、材質データベースが格納されている。この材質データベースには、受注製品の内装材ごとに、それぞれ、その内装材の製品規格(形状、寸法、品質、機能等)を表す製品規格情報が登録されている。例えば、エレベータのカゴの側板材として使用される化粧鋼板であれば、製品として販売されている化粧鋼板の縦横寸法等が製品規格情報として登録されている。
【００６９】
そして、管理端末１１２は、内蔵ハードディスクからメモリ上に読み込まれたソフトウエアおよびＣＰＵによって実現される機能構成として、(1)設備設計者側の納期を推定する期限回答処理部１１３、(2)建築設計者側からの作図依頼を個々の設計担当者に割り当てる部署割付け処理部１１４、等を有している。また、この管理端末１１２の外部記憶装置１１７には、各処理部１１３,１１４の処理実行に必要とされるデータが格納された２つのデータベース１１５,１１６が格納されている。一方のデータベース１１５(負荷管理データベース)には、各担当者ごとに、それぞれ、その担当者の識別情報(名前、ＩＤ番号、メールアドレス等)、その担当者が担当している案件の案件ＩＤおよび納期が登録されている。そして、他方のデータベース１１６(サービス管理データベース)には、設備設計者側の各提供サービスごとに、それぞれ、そのサービスを提供する各担当者の識別情報が登録されている。
【００７０】
そして、この場合のデータベースサーバ１２の外部記憶装置９には、前述の図面データベースに加え、さらに、建築図管理データベース、据付図管理データベース、意匠図管理データベース、顧客仕様管理データベースが格納されている。建築図管理データベースには、案件ごとに、それぞれ、案件ＩＤ、建築図データが登録される。また、据付図管理データベースには、案件ごとに、それぞれ、案件ＩＤ、据付図データが登録される。また、意匠図管理データベースには、各エレベータごとに、エレベータ意匠図面データ、エレベータパースデータ、エレベータ意匠図面データおよびエレベータパースデータの作成に用いた各種データ(エレベータドア開き方向、エレベータ定員、天井デザインパターン、材質データ等)が格納されている。また、顧客仕様管理データベースには、依頼案件に関する検討済み情報、依頼案件に割り当てられた案件ＩＤ、依頼案件に関する付加情報(データベース登録日、建築設計者のメールアドレス等)が登録される。
【００７１】
また、この場合のＷＷＷサーバ１１は、前述のインタフェース３,８およびＣＡＤシンボル自動生成処理部７に加えて、さらに、ＣＧＩプログラム等のソフトウエアにより実現される３つの入出力インタフェース(4)(5)(6)、すなわち、(4)エレベータの設置ビルに関するビル情報(ビル用途、フロアー数、各フロアーの居住人口等)を建築設計者用ユーザ端末２から受け付けるとともにエレベータ機種・台数計画案を建築設計者用ユーザ端末側から取りだし可能とする機種・台数計画用インタフェース１０３、(5)エレベータ内装検討依頼を建築設計者用ユーザ端末２から受け付けると共にエレベータ内装イメージデータをＷＷＷクライアント端末側から取りだし可能とするデザインイメージ生成用インタフェース１０７、(6)エレベータ意匠図作図依頼を建築設計者用ユーザ端末２から受け付けるとともにエレベータ意匠図面データおよびエレベータパースデータをＷＷＷクライアント端末側から取りだし可能とする意匠図作図依頼インタフェース１０８、を有している。
【００７２】
さらに、このＷＷＷサーバ１１の外部記憶装置１２６には、ビル特徴データベースが格納されている。このビル特徴データベースには、建屋の用途(オフィスビル、マンション等)ごとに、その用途の建屋のために作成されたエレベータ機種・台数計画マップがそれぞれ登録されている。そして、各エレベータ機種・台数計画マップは、いずれも、ビルのフロアー数および居住人口の組合せを検索キーとして、推奨エレベータ機種・台数計画情報(エレベータの推奨定員、エレベータの推奨輸送速度、エレベータの推奨設置台数)を取得することができるようになっている。例えば、オフィスビルについてのエレベータ機種・台数計画マップのデータ構造は、概念的に、図２１のように示される。このエレベータ機種・台数計画マップによれば、フロアー数「１０階」および居住人口「３００人」に対する推奨エレベータ機種・台数計画情報として、エレベータ輸送速度「１０５ｍ／ｍｉｎ」、エレベータ定員「９人」、エレベータ設置台数「２台」を取得することができる。
【００７３】
つぎに、図１６に示したネットワークシステムにおいて実行される一連の遠隔処理について段階をおって説明する。なお、ここでは、前述の場合と同様、エレベータを受注製品の例として挙げることとする。
【００７４】
図１７に示すように、本実施の形態に係る遠隔処理は、サービスの提供を受ける建築設計者サイドから見ると、以下の５つの段階(第一段階Ｓ２０１、第二段階Ｓ２０２、第三段階Ｓ２０３、第四段階Ｓ２０４、第五段階Ｓ２０５)に分けられる。
【００７５】
(１)第一段階(Ｓ２０１)
図１９のフローチャートに、この第一段階(Ｓ２０１)における詳細な処理の流れを示す。
【００７６】
建屋には、建屋内の交通需要に応じたエレベータが設定される必要がある。例えば、建屋の用途(オフィスビル、マンション等)によって、設置エレベータの最適な必要輸送能力は異なるし、同じ用途の建屋であっても、その建屋の高さによって、設置エレベータの最適な運送速度は異なる。したがって、エレベータ付き建屋を設計する建築設計者は、前もって、その建屋の用途および居住人口に適したエレベータ仕様および台数を知っておく必要がある。
【００７７】
このような場合、建築設計者は、まず、自己の建築設計者用ユーザ端末２上でブラウザを起動するとともに、自己の建築設計者用ユーザ端末２とＷＷＷサーバ１１とのコネクションを確立し、自己の建築設計者用ユーザ端末２の表示画面上でエレベータ設計サービス提供ＷＷＷページを開く。このエレベータ設計サービス提供ＷＷＷページのトップページ上には、図１８に示すように、検討依頼案件ＩＤを入力するための案件ＩＤ入力ボックス１５５、提供サービス一覧１５０〜１５４が配置されている。
【００７８】
このページ上で、建築設計者が、まず、案件ＩＤ入力ボックス１５５に何も入力せずに、提供サービス一覧から「機種・台数計画サービス」１５０を選択すると、図２０(ａ)に示すようなビル情報入力ページ１６０が、建築設計者用ユーザ端末２の表示画面上に開かれる。
【００７９】
このビル情報入力ページ１６０には、エレベータ設置ビルに関するビル情報(エレベータ設置ビルの用途、エレベータ設置ビルのフロアー数、エレベータ設置ビルの居住人口)を入力するためのツールキットが配置されている。具体的には、エレベータ設置ビルの用途を入力するためのビル用途入力ボックス１６１、エレベータ設置ビルのフロアー数を入力するためのビル階床数入力ボックス１６２、エレベータ設置ビルの居住人口を入力するための居住人口入力ボックス１６３、すべての入力ボックスのデータ設定を確定するためのＯＫボタン１６４が配置されているため、建築設計者は、これら各入力ボックスに適当なデータ１６１,１６２,１６３を入力してから、さらにＯＫボタン１６４をクリックする必要がある。ただし、各入力ボックス１６１,１６２,１６３にはそれぞれボタンが付属しており、このボタンがクリックされると、各入力ボックスへの入力データ候補が一覧表示されたプルダウンメニューが開かれるため、建築設計者は、そのプルダウンメニューの一覧のなかから、各入力ボックスへの入力データとして適当な入力データ候補を選択するだけでよい。例えば、ビル用途入力ボックス１６１の付属ボタンがクリックされると、エレベータ設置ビルの標準用途(オフィスビル、官庁ビル、マンション等)が一覧表示されたプルダウンメニュー１６１Ａが開かれるため、建築設計者は、このビル用途一覧のなかから適当なビル用途を１つ選択することによって、ビル用途入力ボックス１６１への入力データを決定すればよい。
【００８０】
建築設計者が、これら各入力ボックス１６１,１６２,１６３へのデータ入力を完了してから、さらにＯＫボタン１６４をクリックすると、各入力ボックス１６１,１６２,１６３内の設定データ(ビル情報)を含んだエレベータ機種・台数計画検索依頼がＷＷＷサーバ１１へ送られる(Ｓ２０１１)。
【００８１】
このエレベータ機種・台数計画検索依頼を受け付けたＷＷＷサーバ１１は、そのなかからビル情報(ビル用途、フロアー数、居住人口)を取りだし、このビル情報を検索キーとしたデータベース検索を実行する。具体的には、ビル特徴データベースを検索し、検索キーの１つ(ビル用途)に対応付けられたエレベータ機種・台数計画マップ(図２１参照)から、残り２つの検索キー(フロアー数および居住人口)に対応付けられた推奨エレベータ機種・台数計画情報を取得する(Ｓ２０１２)。
【００８２】
そして、ＷＷＷサーバ１１は、その検索結果(エレベータ推奨定員、エレベータ推奨輸送速度、エレベータ推奨設置台数)を建築設計者用ユーザ端末２に返信する。これにより、建築設計者用ユーザ端末２の表示画面上には、図２０(ｂ)に示すようなエレベータ機種・台数計画案表示ページ１６５が開かれ、このページ１６５上に、建築設計者指定のビル用途、および、ＷＷＷサーバ１１による検索結果(エレベータ推奨定員、エレベータ推奨輸送速度、エレベータ推奨設置台数)が、エレベータ機種・台数計画案１６６として表示される。あわせて、現在表示中のエレベータ機種・台数計画案を保存するか否かを建築設計者に問うメッセージとともに、そのメッセージに対する返答を受け付ける２つのアンダーライン付き「Ｙ」「Ｎ」が表示される(Ｓ２０１３)。ここで、建築設計者が一方のアンダーライン付き文字「Ｎ」をクリックすると、再度、図１８のトップページが建築設計者用ユーザ端末２の表示画面上に開かれるが(Ｓ２０２１５)、他方のアンダーライン付き文字「Ｙ」をクリックすると、現在表示中のエレベータ機種・台数計画案およびを含んだデータ保存依頼が、ＷＷＷサーバ１１を介してデータベースサーバへと送られる(Ｓ２０１４)。
【００８３】
データベースサーバ１２は、このデータ保存依頼を受け付けると、そのなかに含まれていたエレベータ機種・台数計画案(依頼案件に関する検討済み情報)と、未登録案件ＩＤのなかで最も若い案件ＩＤと、現在の日付とを対応付けて、顧客仕様管理データベースに新規登録する(Ｓ２０１５)。顧客仕様管理データベースへの新規データ登録が終了すると、このとき登録した新規案件ＩＤが、ＷＷＷサーバ１１を介して建築設計者用ユーザ端末２に返信される(Ｓ２０１６)。これにより、建築設計者用ユーザ端末２の表示画面上には、図２０(ｃ)に示すような案件ＩＤ確認ページ１６８が開かれる。この案件ＩＤ確認ページ上には、建築設計者の依頼案件に割り当てられた新規案件ＩＤが表示されるとともに、ＯＫボタン１６９が配置されている。建築設計者が、新規案件ＩＤを確認したあとＯＫボタン１６９をクリックすると、建築設計者用ユーザ端末２上にトップページ(図１８参照)が再表示されるとともに、今回提供されたサービスのサービス名「機種・台数計画サービス」と新規案件ＩＤとが対応付けて保存される。
【００８４】
エレベータ付き建屋の建築設計においては、建築設計者は、エレベータ機種・台数計画が定まったあと、必ずしも、ただちにエレベータの収まりを検討する訳ではなく、通常は、その前に、さらに建屋の建築設計を進めることが多い。この拡張システムによれば、ＷＷＷページ上に示されたエレベータ機種・台数計画案１６６に特段の問題がない場合には、その案１６６をネットワーク上のデータベースに一旦保存することができるため、建築設計者は、自己の建築設計者用ユーザ端末２とＷＷＷサーバ１１とのコネクションを切断し、自己の建築設計作業に戻ることができる。
【００８５】
(２)第二段階(Ｓ２０２)
図２２のフローチャートに、この第二段階(Ｓ２０２)における詳細な処理の流れを示す。
【００８６】
建築設計者は、その後の建築設計の過程において、エレベータの収まりを検討する段階にまできたら、再度、自己の建築設計者用ユーザ端末２とＷＷＷサーバ１１とのコネクションを確立し、自己の建築設計者用ユーザ端末２の表示画面上でエレベータ設計サービス提供ＷＷＷページ(図１８参照)を開く。
【００８７】
前回提示されたエレベータ機種・台数計画案とは異なる案に基づき検討を進めている建築設計者が、案件ＩＤ入力ボックス１５５に何も入力せずに、提供サービス「エレベータＣＡＤシンボル提供サービス」１５１を選択すると、図５に示したエレベータ設計ページが建築設計者用ユーザ端末２の表示画面上に開かれる。前述したように、建築設計者は、最低限、このページ上で、設置台数分のエレベータについての各入力ボックス５０,５１,５２ににそれぞれデータ(エレベータ用途、仕様番号、ドア開き方向)を入力する必要がある(Ｓ２０２２)。なお、トランクの有無、カウンターウェイト位置等のオプション選択は、必要に応じて適宜に行われていればよい。
【００８８】
一方、前回提示されたエレベータ機種・台数計画案に基づき検討を進める建築設計者が、前回発行された案件ＩＤを案件ＩＤ入力ボックス１５５に入力してからリターンキーが押すと、ＷＷＷページ上のテキストがそのスタイルを変化させる。具体的には、図１８のＷＷＷページ上の提供サービス名一覧のうち、入力案件ＩＤに対応する保存中のサービス名「機種・台数計画サービス」の次に表示されているサービス名、すなわち、建築設計者が次に提供を受けるべきサービスのサービス名「エレベータＣＡＤシンボル提供サービス」１５１が強調表示となる。これにより、建築設計者は、前回のアクセスから相当時間経過していても、今回のアクセスで最初に受けるべきサービスを一見して把握することができる。
【００８９】
そのあと、建築設計者が、提供サービス「エレベータＣＡＤシンボル提供サービス」１５１を選択すると、案件ＩＤ入力ボックス１５５に入力された案件ＩＤを含んだ検討済み情報検索依頼が、ＷＷＷサーバ１１を介してデータベースサーバ１２に送られる。データベースサーバ１２は、この検索依頼に含まれる案件ＩＤを検索キーとしたデータベース検索により、顧客仕様管理データベースから検討済み情報(ビル用途、エレベータ推奨設置台数、エレベータ推奨定員、エレベータ推奨輸送速度)を取りだし、それを返信する(Ｓ２０２３)。
【００９０】
この返信データ(ビル用途、エレベータ推奨設置台数、エレベータ推奨定員、エレベータ推奨輸送速度)を受け付けた建築設計者用ユーザ端末２には、図２３に示したエレベータ基本仕様入力ページが表示される。ただし、この場合には、ビル用途入力ボックス１７０、返信データに含まれていたエレベータ推奨設置台数分のカゴ容量入力ボックス１７３および輸送速度入力ボックス１７５には、すでにデフォルトデータ(返信データに含まれていたビル用途、エレベータ推奨定員、エレベータ推奨輸送速度)が設定されている。したがって、建築設計者は、エレベータ推奨設置台数分のエレベータ用途入力ボックス１７１およびドア開き方向入力ボックス１７２に適当なデータを設定し、必要に応じて、カゴ容量入力ボックス１７３および輸送速度入力ボックス１７５のデフォルトデータを変更するだけでよい(Ｓ２０２４)。なお、トランクの有無、カウンターウェイト位置等のオプション選択に関しては、必要に応じて各入力ボックス１７４,１７６に適宜なデータ設定がなされていればよい。
【００９１】
さて、建築設計者が、図５および図２３のいずれかのページ上で、必要データの設定後、シンボル表示ボタン５３,１７７をクリックすると、前述の場合と同様、データベースサーバ１２によって、ＣＡＤシンボルのデータベース検索が行われる(Ｓ２０２５)。
【００９２】
このとき、データベースサーバ１２がＣＡＤシンボルのデータベース検索に成功すれば(Ｓ２０２６)、前述の場合と同様に、その検索結果が建築設計者用ユーザ端末２に返信される(Ｓ２０２９)。これにより、前述の場合と同様、建築設計者用ユーザ端末２には、図２４に示すように、建築設計者の要求仕様に適合したＣＡＤシンボル１８０が表示される(Ｓ２０２１０)。ただし、この場合には、現在表示中のＣＡＤシンボルおよびその関連情報を保存するか否かを建築設計者に問うメッセージ１８１が表示されるとともに、そのメッセージに対する返答を受け付ける２つのアンダーライン付き文字「Ｙ」「Ｎ」が表示される。
【００９３】
ここで、建築設計者が一方のアンダーライン付き文字「Ｎ」をクリックすると(Ｓ２０２１１)、再度、トップページ(図１８参照)が建築設計者用ユーザ端末２の表示画面上に開かれるが、他方のアンダーライン付き文字「Ｙ」をクリックすると(Ｓ２０２１１)、現在表示中のＣＡＤシンボルとその関連情報(ビル情報、エレベータ設置台数、輸送速度、定員、ドア開き方向等)と含んだデータ保存依頼が、ＷＷＷサーバ１１を介してデータベースサーバ１２へと送られる。なお、今回ＣＡＤシンボルの提供を依頼した案件にすでに案件ＩＤが割り当てられていれば、このとき案件ＩＤもデータ保存依頼とともににデータベースサーバ１２へ送られる。
【００９４】
データベースサーバ１２は、このデータ保存依頼を受け付けると、そのデータ保存依頼から案件ＩＤを取りだす(Ｓ２０２１２)。
【００９５】
ここで、データ保存依頼から案件ＩＤを取りだすことができなければ、データ保存依頼に含まれていたＣＡＤシンボル等(依頼案件に関する検討済み情報)と、未登録案件ＩＤのなかで最も若い案件ＩＤと、現在の日付とを対応付けて顧客仕様管理データベースに新規登録したあと、このとき登録した新規案件ＩＤを、ＷＷＷサーバ１１を介して建築設計者用ユーザ端末２に返信する(Ｓ２０２１３)。これにより、建築設計者用ユーザ端末２の表示画面上には、図２０(ｃ)に示したような案件ＩＤ確認ページ１６８が開かれる。この案件ＩＤ確認ページ上には、建築設計者の依頼案件に割り当てられた新規案件ＩＤが表示されるとともに、ＯＫボタン１６９が配置されている。建築設計者が、新規案件ＩＤを確認したあとＯＫボタン１６９をクリックすると、図１８のトップページが建築設計者用ユーザ端末２上に再表示されるとともに、今回提供されたサービスのサービス名「エレベータＣＡＤシンボル提供サービス」と新規案件ＩＤとが対応付けて保存される。
【００９６】
一方、データ保存依頼から案件ＩＤを取りだすことができれば、その案件ＩＤに対応付けられて顧客仕様管理データベースに登録されているデータベース登録日と検討済み情報とを、データ保存依頼に含まれていた現在の日付およびＣＡＤシンボル等によって更新した後、ＣＡＤシンボルのデータベース登録が成功した旨のメッセージを、ＷＷＷサーバ１１を介して建築設計者用ユーザ端末２に返信する(Ｓ２０２１４)。このメッセージを受け付けた建築設計者用ユーザ端末２側では、図１８のトップページが建築設計者用ユーザ端末２上に再表示されるとともに、今回提供されたサービスのサービス名「エレベータＣＡＤシンボル提供サービス」と新規案件ＩＤとが対応付けて保存される。
【００９７】
ところで、データベースサーバ１２がＣＡＤシンボルのデータベース検索に失敗すれば(Ｓ２０２６)、前述の場合と同様、ＷＷＷサーバ１１が、建築設計者用ユーザ端末２とのコネクションを切断してから、建築設計者の要求仕様に適合したＣＡＤシンボルを生成する(Ｓ２０２７)。そのあと、さらに、前述の場合と同様、ＷＷＷサーバ１１は、新たに生成されたＣＡＤシンボルのデータベース登録をデータベースサーバ１２に依頼するとともに、ＣＡＤシンボル完成とその格納場所を通知する建築設計者宛ての電子メールの配信をネットワーク上のメールサーバに依頼する(Ｓ２０２８)。
【００９８】
建築設計者が、ＷＷＷサーバ１１からの電子メールの着信により、ＣＡＤシンボルの完成とその格納場所を知って、そのＣＡＤシンボルを格納場所からダウンロードすると、前述の場合と同様、建築設計者用ユーザ端末２には、図２４に示すように、建築設計者の要求仕様に適合したＣＡＤシンボル１８０が表示される(Ｓ２０２１０)。ただし、この場合には、現在表示中のＣＡＤシンボルを保存するか否かを建築設計者に問うメッセージ１８１が表示されるとともに、そのメッセージに対する返答を受け付ける２つのアンダーライン付き文字「Ｙ」「Ｎ」が表示される。ここでは、建築設計者が、２つのアンダーライン付き文字「Ｙ」「Ｎ」のいずれをクリックしても(Ｓ２０２１１)、その後は、ＣＡＤシンボルのデータベース検索に成功した場合と同様に処理される。
【００９９】
チェーン店の店舗等、内部に統一感を持たせた複数の建屋の建築設計は、同一の建築設計者が、時期をずらして請け負うことある。これら複数の建屋には、通常、基本仕様(輸送速度、定員)等が共通するエレベータが設置されることが想定される。そこで、この拡張システムでは、ＷＷＷページ上で提供されたＣＡＤシンボルおよびその関連情報が、建築設計者の希望に応じてネットワーク上の顧客仕様管理データベースに登録され、そのあと、建築業者の必要に応じて何度でも、そのＣＡＤシンボルおよび基本使用データがダウンロードできるようになっている。
【０１００】
(３)第三段階(Ｓ２０３)
図２５のフローチャートに、この第三段階(Ｓ２０３)の前半における詳細な処理の流れを示す。
【０１０１】
建築設計者は、その後の建築設計の過程において、機器設計者(エレベータ設計者)に据付け図面作成を依頼する段階にまできたら、再度、自己の建築設計者用ユーザ端末２とＷＷＷサーバ１１とのコネクションを確立し、自己の建築設計者用ユーザ端末２の表示画面上でエレベータ設計サービス提供ＷＷＷページ図１８を開く。
【０１０２】
前回のアクセス時に保存しておかなかったＣＡＤシンボルを用いて建築図面データを作成した建築設計者が、まず、図１８のトップページ上で、案件ＩＤ入力ボックス１５５に何も入力せずに、提供サービス一覧から「エレベータ据付図作図サービス」１５２を選択すると、図２６(ａ)に示した据付図作図ページが開かれる。このページ上には、エレベータ据付図の作図依頼に必要なデータを入力するためのツールが配置されている。具体的には、据付図面データの作成を依頼する案件ＩＤを入力するための案件ＩＤ入力ボックス１９０、エレベータの設置台数を入力するためのエレベータ設置台数入力ボックス１９１、エレベータ設置ビルの用途を入力するためのビル用途入力ボックス１９２、エレベータ設置ビルのフロアー数を入力するためのビル階床数入力ボックス１９３、各エレベータの基本仕様等を入力するための入力ボックス１９４、建築図データのファイル名を入力するための建築図データ入力ボックス１９５、据付図の希望納期(日付)を入力するための作図要期入力ボックス１９６、各入力ボックスの設定データの送信を指示するための送信ボタン１９７が配置されている。ただし、このとき、案件ＩＤ入力ボックス１９０は、非アクティブ表示となっている。
【０１０３】
この場合、建築設計者は、案件ＩＤ入力ボックス１９０以外の各入力ボックス１９１〜１９６にそれぞれ適当なデータを入力してから、さらに送信ボタン１６４をクリックすると(Ｓ２０３１)、案件ＩＤ入力ボックス１９０以外の各入力ボックス１９１〜１９６内の設定データを含んだ据付図作図依頼が、ＷＷＷサーバ１２を介して設備機器設計者用ユーザ端末１へと送信される(Ｓ２０３２)。
【０１０４】
一方、前回のアクセス時に保存しておいたＣＡＤシンボルを用いて建築図面データを作成した建築設計者が、前回発行された案件ＩＤを据付図面作成依頼案件ＩＤとして案件ＩＤ入力ボックス１５５に入力してからリターンキーを押すと、トップページ上のテキストがそのスタイルを変化させる。具体的には、図１８のトップページ上の提供サービス名一覧のうち、据付図面作成依頼案件ＩＤに対応する保存中のサービス名「エレベータＣＡＤシンボル提供サービス」の次に表示されているサービス名、すなわち、建築設計者が次に提供を受けるべきサービスのサービス名「エレベータ据付図作図サービス」１５２が強調表示となる。これにより、建築設計者は、前回のアクセスから相当時間経過していても、今回のアクセスで最初に受けるべきサービスを一見して把握することができる。
【０１０５】
そのあと、建築設計者が、提供サービス「エレベータ据付図作図サービス」１５２を選択すると、据付図面作成依頼案件ＩＤを含んだ検討済み情報検索依頼が、ＷＷＷサーバ１１を介してデータベースサーバ１２に送られる。データベースサーバ１２は、この検索依頼に含まれる案件ＩＤを検索キーとしたデータベース検索により、顧客仕様管理データベースから検討済み情報を取りだし、それを返信する。
【０１０６】
この返信データを受け付けた建築設計者用ユーザ端末２には、図２６(ａ)に示した据付図作図依頼ページが表示される(Ｓ２０３３)。ただし、この場合には、建築図データ入力ボックス１９５および作図要期入力ボックス１９６以外の入力ボックス１９０〜１９４には、すでにデフォルトデータ(返信データに含まれていた案件ＩＤ、エレベータ台数、ビル用途、フロアー数、エレベータ定員、エレベータ輸送速度、ドア開き方向、オプションデータ等)が設定されている。したがって、建築設計者は、建築図データ入力ボックス１９５および作図要期入力ボックス１９６に適当なデータを設定するだけでよい(Ｓ２０３４)。そして、建築設計者は、それらのデータ入力後、さらに送信ボタン１６４をクリックすると、各入力ボックス１９０〜１９６内の設定データを含んだデータ保存依頼が、ＷＷＷサーバ１２を介してデータベースサーバ１２へと送信される。
【０１０７】
さて、建築設計者ユーザ端末２からのデータ保存依頼を受け付けたデータベースサーバは、このデータ保存依頼に含まれていたファイル名に該当する建築図データをアップロードする(Ｓ２０３５)。そして、このデータ保存依頼に含まれていた案件ＩＤと、その建築図データとを対応付けて建築図管理データベースに登録し、このとき登録した案件ＩＤを建築設計者ユーザ端末２へ送信する。
【０１０８】
建築設計者ユーザ端末２は、この返信案件ＩＤを含む据付図作図依頼を、ＷＷサーバ１１を介して管理端末１１２に送信する。管理端末１１２は、まず、据付図作図サービスを提供する設備機器設計者の識別情報をサービス管理データベース１１６から取りだす。さらに、このとき取りだされた各識別情報に対応付けられた案件ＩＤおよび納期を負荷管理データベース１１５からそれぞれ取りだす。その結果に基づき、担当案件の最も少ない設備機器設計者を、今回の据付図作図依頼の担当者として決定し、この設備機器設計者の最終案件の納期に所定の工期を加算することによって、今回依頼された据付図の納期を決定する。そして、管理端末１１２は、このときの決定結果をＷＷＷサーバ１１へと送信するとともに、このときの決定結果によって負荷管理データベース１１５を更新する。
【０１０９】
ＷＷＷサーバ１１は、この送信データを受け取ると、建築データのファイル名とその格納場所、案件ＩＤ、納期を通知する担当者宛て電子メールの配信をネットワーク上のメールサーバに依頼するとともに、案件ＩＤおよび納期を建築設計者用ユーザ端末２に送信する(Ｓ２０３６)。
【０１１０】
これにより、建築設計者用ユーザ端末２の表示画面上には、図２６(ｂ)に示した納期回答ページが開かれる。この納期回答ページ上には、返信データに含まれていた案件ＩＤ１９８および納期１９９が表示されている。また、この納期回答ページ上にはＯＫボタン２００が配置されており、建築設計者が、現在表示中の内容を確認したあとにこのＯＫボタン１６９をクリックすると、図１８のトップページが建築設計者用ユーザ端末２の表示画面上で再び開かれるとともに、今回提供されたサービスのサービス名「エレベータ据付図作図サービス」と据付図作図依頼案件の案件ＩＤとが対応付けて保存される。
【０１１１】
図２７および図２８のフローチャートに、この第三段階における後半の詳細な処理の流れを示す。
【０１１２】
今回の据付図面依頼の担当とされた設備機器設計者の設備機器設計者用ユーザ端末１では、スケジュールで定めた時期が到来したら、図２７に示した処理が実行される。まず、建築図管理データベースから建築図データが取りだされてから(Ｓ２０３１２)、さらに顧客仕様管理データベースから検討済み情報が取りだされる(Ｓ２０３１３)。そして、これらのデータに基づいて、前述の昇降路関連建築データ自動読込み処理および機器選定・配置計算処理(Ｓ２０３１４)が実行される。さらに、据付け図面生成処理(Ｓ２０３１５)が実行されて、その結果作成された据付図データが据付図面作成依頼案件ＩＤとともに据付図管理データベースに登録される(Ｓ２０３１６)。そして、以上の処理過程において定まった詳細データを、顧客仕様管理データベースに検討済み情報として追加登録するとともに、据付図データの格納場所および据付図作成依頼案件ＩＤを通知する依頼元宛ての電子メールの配信をネットワーク上のメールサーバに依頼する(Ｓ２０３１７)。
【０１１３】
建築設計者は、この電子メールの着信によって据付図データの完成を知ると、その据付図データをダウンロードするために、再度、自己の建築設計者用ユーザ端末２上でブラウザを起動し、自己の建築設計者用ユーザ端末２とＷＷＷサーバ１２とのあいだのコネクションを確立して、図２９(ａ)に示すような据付図ダウンロードページを自己の建築設計者用ユーザ端末２の表示画面上で開く。この据付図ダウンロードページ上には、ダウンロードを望む据付図面の作成依頼案件ＩＤを入力するための案件入力ボックス２１０、作成依頼案件ＩＤの送信を指示するための送信ボタン２１１が配置されている。建築設計者が、電子メールにより知った据付図面作成依頼案件ＩＤを案件入力ボックス２１０に入力し、さらに送信ボタン２１１をクリックすると(Ｓ２０３８)、図２９(ｂ)に示すようなページが開かれる。このページ上には、据付図面データのダウンロードを指示するためのアンダーライン付きの文字列２１２が配置されている。建築設計者が、この文字列２１２をクリックすると、据付図面作成依頼案件ＩＤを含んだ据付図面検索依頼が、ＷＷＷサーバ１１を介してデータベースサーバ１２に送信される。これに応じて、データベースサーバ１２は、据付図面作成依頼案件ＩＤに対応付けられた据付図面データを据付図面管理データベースから取りだす(Ｓ２０３９)。そして、この据付図面データが建築設計者用ユーザ端末２にダウンロードされる(Ｓ２０３１０)。
【０１１４】
建築設計者側の就労時間と設備機器設計者側との就労時間とは、かならずしも一致する訳ではない。また、機器設計者側では、建築設計者から新たに据付図作成依頼があっても、先に受けた据付図作成依頼との関係等によって、かならずしも新たな据付図作成依頼にただちに対応できるとは限らない。同様に、建築設計者側も、設備機器設計者側で据付図データが完成するのにあわせて作業を進めている訳ではない。すなわち、建築設計者側と設備機器設計者とではそれぞれのスケジュールが組まれており、互いに、それを一方的に相手側に合わせてばかりはいられない。そこで、この拡張システムでは、建築設計者ユーザ端末と設備機器設計者用ユーザ端末とがデータベースを介して図面データをやり取りすることによって、建築設計者側の設計作業進捗状況と設備機器設計者側の据付図作業進捗状況とに生じるタイムラグを吸収している。
【０１１５】
また、各設備機器設計者の現在の負荷状況管理されており、現在最も負荷の軽い設備機器設計者が新たな据付図作図依頼を請け負うようになっているため、建築設計者側には、依頼から据付図完成までの待ち時間の短縮化というメリットを与えることができるとともに、設備機器設計者側には、負荷の平坦化による、全体としての作業効率化というメリットを与えることができる。
(４)第四段階(Ｓ２０４)
図３０のフローチャートに、この第四段階(Ｓ２０４)における詳細な処理の流れを示す。
【０１１６】
建築設計者は、エレベータ据付図データ(自身で作成したものを含む)が完成すると、今度は、エレベータのカゴの内装仕様を検討する必要がある。この段階にまできたら、再度、自己の建築設計者用ユーザ端末２とＷＷＷサーバ１１とのコネクションを確立し、自己の建築設計者用ユーザ端末２の表示画面上でエレベータ設計サービス提供ＷＷＷページ(図１８参照)を開く。
【０１１７】
独自にエレベータ据付図データを完成させた建築設計者が、まず、図１８のトップページ上で、案件ＩＤ入力ボックス１５５に何も入力せずに、提供サービス一覧から、希望の提供サービス「カゴ・出入口意匠仕様検討サービス」１５３を選択すると、図３１に示した意匠仕様検討ページが開かれる。このページ上には、エレベータの意匠仕様の検討に必要なデータを入力するためのツールが配置されている。具体的には、意匠検討を依頼する案件ＩＤを入力するため案件ＩＤ入力ボックス２２０、エレベータ設置ビルの用途を入力するためのビル用途入力ボックス２２１、エレベータ設置ビルのフロアー数を入力するための階床数入力ボックス２２２、各エレベータのカゴサイズ等を決定するために必要なデータ(ドア開き方向、定員)を入力するための入力ボックス２２３、天井デザインパターンを選択するためのアイコン群２２４、側板材質を選択するためのリストボックス２２５、床材質を選択するためのリストボックス２２６、ハンドレールの取付け有無および材質を選択するためのチェックボタン２２８およびリストボックス２２７、送信ボタン２２９等が配置されている。ただし、このとき、案件ＩＤ入力ボックス２２０だけは、非アクティブ表示となっている。
【０１１８】
この場合には、建築設計者は、案件ＩＤ入力ボックス２２０以外の各入力ボックス２２１〜２２３にそれぞれ適当なデータを入力してから、さらに、その他のリストボックス２２４〜２２７から適当な材質を選択する必要がある(Ｓ２０４４)。なお、ハンドレールの材質は、ハンドレールを取り付ける場合にのみ選択すればよい。
【０１１９】
一方、機器設備設計者用ユーザ端末１で作成されたエレベータ据付図データを入手した建築設計者が、案件ＩＤを案件ＩＤ入力ボックス１５５に入力してからリターンキーが押すと、ＷＷＷページ上のテキストがそのスタイルを変化させる。具体的には、図１８のＷＷＷページ上の提供サービス名一覧のうち、入力案件ＩＤに対応する保存中のサービス名「エレベータ据付図作図サービス」の次に表示されているサービス名、すなわち、建築設計者が次に提供を受けるべきサービスのサービス名「カゴ・出入口意匠仕様検討サービス」１５３が強調表示となる。これにより、建築設計者は、今回のアクセスで最初に受けるべきサービスを容易に把握することができる。
【０１２０】
そのあと、建築設計者が、提供サービス一覧から、希望の提供サービス「カゴ・出入口意匠仕様検討サービス」１５３を選択すると、案件ＩＤ入力ボックス１５５に入力された案件ＩＤを含んだ検討済み情報検索依頼が、ＷＷＷサーバ１１を介してデータベースサーバ１２に送られる。データベースサーバ１２は、この検索依頼に含まれる案件ＩＤを検索キーとしたデータベース検索により、顧客仕様管理データベースから検討済み情報(ビル用途、エレベータ推奨設置台数、エレベータ推奨定員、エレベータ推奨輸送速度)を取りだし、それを返信する(Ｓ２０４２)。
【０１２１】
この返信データ(ビル用途、エレベータ推奨設置台数、エレベータ推奨定員、エレベータ推奨輸送速度)を受け付けた建築設計者用ユーザ端末２には、図３１に示した意匠仕様検討ページが表示される。ただし、この場合には、ページ上の各入力ボックス２２０,２２１,２２２,２２３には、すでにデフォルトデータ(返信データに含まれていたビル用途、階床数、エレベータ推奨定員、エレベータ推奨輸送速度、ドア開き方向、オプションデータ)が設定されている。したがって、建築設計者は、その他のリストボックス２２４〜２２７から適当な材質を選択するだけでよい(Ｓ２０４４)。なお、ハンドレールの材質は、ハンドレールを取り付ける場合にのみ選択すればよい。
【０１２２】
さて、建築設計者が、図３２のページ上で、必要データの設定後、送信ボタン２２９をクリックすると、建築設計者用ユーザ端末２が、そのページ上の設定データのなかに、特殊天井デザインパターンまたは特殊材質が含まれているか否かを判断する(Ｓ２０４５)。
【０１２３】
その結果、特殊天井デザインパターンおよび特殊材質のうちの少なくとも一方が含まれていれば、その後の処理が次述の第五段階(Ｓ２０５)へと移行する。
【０１２４】
一方、特殊天井デザインパターンおよび特殊材質のいずれも含まいなければ、各エレベータに関する設定データ(定員、ドア開き方向、材質データ、天井パターン等)を含むデータベース検索依頼が、ＷＷＷサーバ１１を介してデータベースサーバ１２に送信される。データベースサーバ１２は、このデータベース検索依頼を受け付けると、それに含まれているデータに対応付けられたエレベータ意匠図面データおよびエレベータパースデータを意匠図管理データベースで検索する(Ｓ２０４６)。そして、その検索結果を、ＷＷＷサーバ１１を介してデータベース検索依頼元２に返信する。これにより、建築設計者用ユーザ端末２の表示画面上に開かれていたページには、図３２(ａ)に示すように、返信データに含まれていたエレベータパースデータ２３０がグラフィカルに表示される。あわせて、現在表示中のデータおよびその関連情報を保存するか否かを建築設計者に問うメッセージ２３１が表示されるとともに、そのメッセージに対する返答を受け付ける２つのアンダーライン付き文字「Ｙ」「Ｎ」が表示される(Ｓ２０４７)。
【０１２５】
ここで、建築設計者が一方のアンダーライン付き文字「Ｎ」をクリックすると(Ｓ２０４８)、再度、トップページ(図１８参照)が建築設計者用ユーザ端末２の表示画面上に開かれるが、他方のアンダーライン付き文字「Ｙ」をクリックすると(Ｓ２０４８)、現在表示中のデータとその関連情報(エレベータパースデータ、エレベータ意匠図面データ、天井デザインパターン、材質データ、ビル情報、エレベータ設置台数、輸送速度、定員、ドア開き方向等)とを含んだデータ保存依頼が、ＷＷＷサーバ１１を介してデータベースサーバ１２へと送られる。なお、今回意匠検討を依頼した案件にすでに案件ＩＤが割り当てられていれば、このとき案件ＩＤもデータ保存依頼とともにデータベースサーバ１２へ送られる。
【０１２６】
データベースサーバ１２は、このデータ保存依頼を受け付けると、そのデータ保存依頼から案件ＩＤを取りだす(Ｓ２０４９)。
【０１２７】
ここで、データ保存依頼から案件ＩＤを取りだすことができなければ、データ保存依頼に含まれていたエレベータ意匠図データ等(依頼案件に関する検討済み情報)と、未登録案件ＩＤのなかで最も若い案件ＩＤと、現在の日付とを対応付けて顧客仕様管理データベースに新規登録したあと、このとき登録した新規案件ＩＤを、ＷＷＷサーバ１１を介して建築設計者用ユーザ端末２に返信する(Ｓ４０４１１)。これにより、建築設計者用ユーザ端末２の表示画面上には、図３２(ｂ)に示したような案件ＩＤ確認ページ２３２が開かれる。この案件ＩＤ確認ページ上には、建築設計者の依頼案件に割り当てられた新規案件ＩＤが表示されるとともに、ＯＫボタン２３３が配置されている。建築設計者が、新規案件ＩＤを確認したあとＯＫボタン２３３をクリックすると、再度、図１８のトップページが建築設計者用ユーザ端末２の表示画面上に開かれるとともに、今回提供されたサービスのサービス名「カゴ・出入口意匠検討サービス」と新規案件ＩＤとが対応付けて保存される。
【０１２８】
一方、データ保存依頼から案件ＩＤを取りだすことができれば(Ｓ４０４９)、データベースサーバ１２は、その案件ＩＤに対応付けられて顧客仕様管理データベースに登録されているデータベース登録日を現在の日付で更新るとともに、その案件ＩＤに対応付けられて顧客仕様管理データベースに登録されている検討済み情報に、データ保存依頼に含まれていたエレベータ意匠図データ等を追加登録する(Ｓ２０４１０)。そのあと、データベースサーバ１２は、エレベータ意匠図データ等のデータベース登録が成功した旨のメッセージを、ＷＷＷサーバ１１を介して意匠検討依頼元２に返信する(Ｓ２０２１４)。このメッセージを受け付けた建築設計者用ユーザ端末２側では、再度、図１８のトップページが建築設計者用ユーザ端末２の表示画面上に開かれるとともに、今回提供されたサービスのサービス名「カゴ・出入口意匠検討サービス」と案件ＩＤとが対応付けて保存される。
(５)第五段階(Ｓ２０５)
図３３のフローチャートに、この第五段階(Ｓ２０５)の前半における詳細な処理の流れを示す。
【０１２９】
第四段階のＳ２０４５において、意匠仕様検討ページの設定データのなかに、特殊天井デザインパターンおよび特殊材料のうちの一方が含まれていたら、建築設計者側ユーザ端末２の表示画面上には、図３４(ａ)に示す意匠図作成依頼ページが開かれる。この意匠図作成依頼ページ上には、それまでの設定データの確認情報２４１が表示されるとともに、現在表示中のデータの送信を指示するための送信ボタン２４５が配置される。ただし、特殊天井デザインパターンまたは特殊材質の確認情報２４１ａの近傍には、建築設計者が希望する特殊天井デザインパターンまたは特殊材質のデータの格納ファイル(以下、デザイン情報ファイルと呼ぶ)のファイル名を入力するためのファイル名入力ボックス２４２が配置されるので、建築設計者は、このファイル名入力ボックス２４２に適当な電子ファイル名を入力する必要がある。なお、ここにファイル名が入力されるデザイン情報ファイルには、建築設計者が適当な描画ツールで作成した画像等が格納されており、例えば、特殊天井デザインパターンのデザイン情報ファイルであれば、図３５に示すような天井デザイン画像が格納されている。
【０１３０】
また、この意匠図作成依頼ページ上には、意匠図の希望納期(日付)を入力するための作図要期入力ボックス２４３が配置されているため、建築設計者は、作図要期入力ボックス２４３にも適当なデータを入力してから、送信ボタン２４５をクリックする必要がある。
【０１３１】
さて、建築設計者が、この意匠図作成依頼ページ上で、各入力ブロック２４２,２４３にそれぞれ適当なデータを入力してから、送信ボタン２４５をクリックすると、現在表示中のデータを含んだデータ保存依頼が、ＷＷＷサーバ１２を介してデータベースサーバへと送信される(Ｓ２０５３)。
【０１３２】
このデータ保存依頼を受け付けたデータベースサーバは、このデータ保存依頼に含まれていたファイル名に該当するデザイン情報ファイルをアップロードする(Ｓ２０５４)。そして、このデータ保存依頼に含まれていた他のデータと、そのデザイン情報ファイル等とを対応付けてデザイン情報管理データベースに登録し、そのデータ格納場所および案件ＩＤを建築設計者ユーザ端末２へ送信する。
【０１３３】
建築設計者ユーザ端末２は、この返信データを含む意匠図作成依頼を、ＷＷサーバ１１を介して管理端末１１２に送信する。管理端末１１２は、まず、エレベータ意匠図作図サービスを提供する意匠設計者の識別情報をサービス管理データベース１１６から取りだす。さらに、このとき取りだされた各識別情報に対応付けられた案件ＩＤおよび納期を負荷管理データベース１１５からそれぞれ取りだす。その結果に基づき、担当案件の最も少ない意匠設計者を、今回の据付図作図依頼の担当者として決定し、この意匠設計者の最終案件の納期に所定の工期を加算することによって、今回依頼されたエレベータ意匠図データの納期を決定する。そして、管理端末１１２は、このときの決定結果によって負荷管理データベース１１５を更新するとともに、このときの決定結果とデザイン情報ファイル等の格納場所とをＷＷＷサーバ１１へと送信する。
【０１３４】
ＷＷＷサーバ１１は、この送信データを受け取ると、デザイン情報ファイルのファイル名とその格納場所、案件ＩＤ、納期を通知する意匠設計担当者宛て電子メールの配信をネットワーク上のメールサーバに依頼するとともに、案件ＩＤおよび納期を建築設計者用ユーザ端末２に送信する(Ｓ２０５５)。
【０１３５】
これにより、建築設計者用ユーザ端末２の表示画面上には、図３４(ｂ)に示した納期回答ページが開かれる。この納期回答ページ上には、返信データに含まれていた案件ＩＤおよび納期２４６が表示されている。また、この納期回答ページ上にはＯＫボタン２４７が配置されており、建築設計者が、現在表示中の内容を確認したあとにこのＯＫボタン２４７をクリックすると、図１８のトップページが建築設計者用ユーザ端末２の表示画面上で再び開かれる。
【０１３６】
図３６および図３７のフローチャートに、この第五段階における後半の詳細な処理の流れを示す。
【０１３７】
今回の意匠図作成依頼の担当とされた意匠設計者の意匠設計者用ユーザ端末１００では、スケジュールで定めた時期が到来したら、図３６に示した処理が実行される。まず、デザイン情報管理データベースからデザイン情報ファイル等が取りだされる(Ｓ２０５７)。このとき取りだされた各材質データが表す内装材の製品規格情報が材質データベースで検索される(Ｓ２０５８)。そして、デザイン情報ファイル等および製品規格情報に基づきエレベータ内装構造が決定され、さらに，その決定結果に基づきエレベータ意匠図データおよびエレベータパースデータが作成される(Ｓ２０６０)。その結果得られたエレベータ意匠図データおよびエレベータパースデータ意匠図データが、意匠図管理データベースに登録される(Ｓ２０６１)。そして、以上の処理過程において定まった詳細データを、顧客仕様管理データベースに検討済み情報として追加登録するとともに、意匠図作成依頼案件ＩＤとエレベータ意匠図データ等の格納場所とを通知する依頼元宛て電子メールの配信をネットワーク上のメールサーバに依頼する。
【０１３８】
建築設計者は、この電子メールの着信によってエレベータ意匠図データ等の完成を知ると、そのエレベータ意匠図データ等をダウンロードするために、再度、自己の建築設計者用ユーザ端末２上でブラウザを起動し、自己の建築設計者用ユーザ端末２とＷＷＷサーバ１２とのあいだのコネクションを確立して、図２９(ａ)に示すような意匠図ダウンロードページを自己の建築設計者用ユーザ端末２の表示画面上で開く。この意匠図ダウンロードページ上には、ダウンロードを望む意匠図面の作成依頼案件ＩＤを入力するための案件入力ボックス２１０、作成依頼案件ＩＤの送信を指示するための送信ボタン２１１が配置されている。建築設計者が、電子メールにより知った意匠図作成依頼案件ＩＤを案件入力ボックス２１０に入力し、さらに送信ボタン２１１をクリックすると(Ｓ２０６３)、図２９(ｂ)に示すようなページが開かれる。このページ上には、エレベータ意匠図データのダウンロードを指示するためのアンダーライン付きの文字列２１２が配置されている。建築設計者が、この文字列２１２をクリックすると、意匠図面作成依頼案件ＩＤを含んだ意匠図検索依頼が、ＷＷＷサーバ１１を介してデータベースサーバ１２に送信される。これに応じて、データベースサーバ１２は、意匠図作成依頼案件ＩＤに対応付けられたエレベータ意匠図データ等を意匠図管理データベースから取りだす(Ｓ２０６４)。そして、このエレベータ意匠図データが建築設計者用ユーザ端末２にダウンロードされる(Ｓ２０６５)。
【０１３９】
その後、建築設計者側で、このエレベータ意匠図データに対する変更希望がある場合には，建築設計者は、自己のユーザ端末２で意匠仕様検討ページを開き、このページ上で案件ＩＤを入力した上，データを設定しなおせばよい。これにより、担当の意匠設計者のユーザ端末１００においては、前回の設定データと今回の設定データとの差分が算出され、この差分に基づき意匠図面データが修正される。このため、意匠設計者側では，意匠図面データを一から作成しなおすよりも迅速に修正後の意匠図面データが作成することができ，建築設計者側は、それを迅速に入手することができる。
【０１４０】
建築計者と意匠設計者との関係は、前述の建築設計者と機器設計者との関係とほぼ同様である。そこで、この拡張システムでは、建築設計者ユーザ端末と意匠設計者用ユーザ端末とがデータベースを介してデータをやり取りすることによって、建築設計者側の設計作業進捗状況と意匠設計者側の意匠図作成進捗状況とに生じるタイムラグを吸収している。
【０１４１】
また、各意匠設計者の現在の負荷状況も管理されており、現在最も負荷の軽い意匠設計者が新たな意匠図作図依頼を請け負うようになっているため、建築設計者側には、依頼から意匠図完成までの待ち時間の短縮化というメリットを与えることができるとともに、意匠設計者側には、負荷の平坦化による、全体としての作業効率化というメリットを与えることができる。
【０１４２】
なお、以上においては、受注製品としてエレベータを挙げているが、エレベータ以外の付帯設備を受注製品とすることができることは言うまでもない。
【０１４３】
また、機器設計者側のユーザ端末で行われている処理を定義したプログラムをダウンロード可能とすれば、建築設計者側のユーザ端末で据付け図面データを作成することもできる。もちろん、機器設計者側のユーザ端末で行われている処理を定義したプログラムが格納された記録媒体から、そのプログラムを建築設計者側ユーザ端末にインストールしても、これと同様なことが言える。
【図面の簡単な説明】
【０１４４】
【図１】本発明の一実施形態に係るシステムの概略構成図である。
【図２】上図は、受注製品の一例であるエレベータの概略構造を説明するための図であり、下図は、その断面図である。
【図３】エレベータの取付け部分の構造を説明するための部分図である。
【図４】本発明の実施の一形態に係る遠隔受注設計処理の流れを説明するための図である。
【図５】建築設計者用ユーザ端末で用いられるＧＵＩの表示例を示した図である。
【図６】建築設計者用ユーザ端末で用いられるＧＵＩの表示例を示した図である。
【図７】本発明の実施の一形態に係る遠隔受注設計処理におけるデータの流れを示した図である。
【図８】本発明の実施の一形態に係る遠隔受注設計処理におけるデータの流れを示した図である。
【図９】本発明の実施の一形態に係る遠隔受注設計処理におけるデータの流れを示した図である。
【図１０】本発明の実施の一形態に係る遠隔受注設計処理におけるデータの流れを示した図である。
【図１１】本発明の実施の一形態に係る遠隔受注設計処理におけるデータの流れを示した図である。
【図１２】建築データ自動読込み部が実行する昇降路関連建築データ自動読込み処理のフローチャート図である。
【図１３】機器設計者側のユーザ端末で実行されるエレベータ据付図面作成処理を概略的に示した図である。
【図１４】機器選定・配置計算処理部が実行する機器選定・配置計算処理のフローチャート図である。
【図１５】機器設計者側のユーザ端末で実行されるエレベータ据付図面作成処理により作成された、エレベータの据付け図面例を示した図である。
【図１６】本発明の実施の一形態に係るシステムの概略構成図である。
【図１７】本発明の実施の一形態に係る遠隔処理の流れを示したフローチャート図である。
【図１８】建築設計者用ユーザ端末の表示画面上に開かれるＷＷＷページの一例を示した図である。
【図１９】図１７のＳ２０１における処理の流れを示したフローチャート図である。
【図２０】建築設計者用ユーザ端末の表示画面上に開かれるＷＷＷページの一例を示した図である。
【図２１】本発明の実施の一携帯に係るエレベータ機種台数計画マップの概念図である。
【図２２】図１７のＳ２０２における処理の流れを示したフローチャート図である。
【図２３】建築設計者用ユーザ端末の表示画面上に開かれるＷＷＷページの一例を示した図である。
【図２４】建築設計者用ユーザ端末の表示画面上に開かれるＷＷＷページの一例を示した図である。
【図２５】図１７のＳ２０３における処理の流れを示したフローチャート図である。
【図２６】建築設計者用ユーザ端末の表示画面上に開かれるＷＷＷページの一例を示した図である。
【図２７】図１７のＳ２０３における処理の流れを示したフローチャート図である。
【図２８】図１７のＳ２０３における処理の流れを示したフローチャート図である。
【図２９】建築設計者用ユーザ端末の表示画面上に開かれるＷＷＷページの一例を示した図である。
【図３０】図１７のＳ２０４における処理の流れを示したフローチャート図である。
【図３１】建築設計者用ユーザ端末の表示画面上に開かれるＷＷＷページの一例を示した図である。
【図３２】建築設計者用ユーザ端末の表示画面上に開かれるＷＷＷページの一例を示した図である。
【図３３】図１７のＳ２０５における処理の流れを示したフローチャート図である。
【図３４】建築設計者用ユーザ端末の表示画面上に開かれるＷＷＷページの一例を示した図である。
【図３５】建築設計者が作成した電子ファイルに格納されているデータを概念的に示した図である。
【図３６】図１７のＳ２０５における処理の流れを示したフローチャート図である。
【図３７】図１７のＳ２０５における処理の流れを示したフローチャート図である。
【符号の説明】
【０１４５】
１…機器設計者側のユーザ端末
２…建築設計者側のユーザ端末
３…シンボル生成用データインタフェース
４…建築データ自動読込み部
５…機器選定・配置計算処理部
６…据付図自動作成処理部
７…ＣＡＤシンボル自動生成処理部
８…作図依頼インタフェース
９…外部記憶装置
１０…仕様訂正管理部
１１…ＷＷＷサーバ
１２…データベースサーバ
１００…意匠設計者用のユーザ端末
１１２…管理端末
１１５…負荷管理データベース
１１６…サービス管理データベース
１２６…ビル特徴データベース
【図１】
2006344247.tif 000003
【図２】
2006344247.tif 000004
【図３】
2006344247.tif 000005
【図４】
2006344247.tif 000006
【図５】
2006344247.tif 000007
【図６】
2006344247.tif 000008
【図７】
2006344247.tif 000009
【図８】
2006344247.tif 000010
【図９】
2006344247.tif 000011
【図１０】
2006344247.tif 000012
【図１１】
2006344247.tif 000013
【図１２】
2006344247.tif 000014
【図１３】
2006344247.tif 000015
【図１４】
2006344247.tif 000016
【図１５】
2006344247.tif 000017
【図１６】
2006344247.tif 000018
【図１７】
2006344247.tif 000019
【図１８】
2006344247.tif 000020
【図１９】
2006344247.tif 000021
【図２０】
2006344247.tif 000022
【図２１】
2006344247.tif 000023
【図２２】
2006344247.tif 000024
【図２３】
2006344247.tif 000025
【図２４】
2006344247.tif 000026
【図２５】
2006344247.tif 000027
【図２６】
2006344247.tif 000028
【図２７】
2006344247.tif 000029
【図２８】
2006344247.tif 000030
【図２９】
2006344247.tif 000031
【図３０】
2006344247.tif 000032
【図３１】
2006344247.tif 000033
【図３２】
2006344247.tif 000034
【図３３】
2006344247.tif 000035
【図３４】
2006344247.tif 000036
【図３５】
2006344247.tif 000037
【図３６】
2006344247.tif 000038
【図３７】
2006344247.tif 000039
【手続補正書】
【提出日】平成18年9月19日(2006.9.19)
【手続補正２】
【補正対象書類名】特許請求の範囲
【補正対象項目名】全文
【補正方法】変更
【補正の内容】
【特許請求の範囲】
【請求項１】
提供可能な自社の製品の基本仕様の一覧情報を、自らの設計物の中に前記製品を取り込んで前記設計物を設計することを検討中の顧客の要求に応じて、顧客の端末へ送信するステップと、
前記顧客が前記基本仕様の一覧情報から選んだ発注候補の製品の指定を受けて、前記発注候補の製品に対応して、少なくとも構造情報、および当該製品の設置のために確保する必要がある占有スペース情報とを含むＣＡＤシンボル情報を前記顧客の端末へ送信するステップと、
前記顧客が設計中の前記自らの設計物の中に前記ＣＡＤシンボルを位置決めして、前記設計物の中に前記製品を取り込んで設計した顧客設計データを、前記顧客の端末から受信するステップと、
前記受付けた顧客設計データから、前記顧客が位置決めしたＣＡＤシンボルの位置、占有スペース情報を基準として、その近傍にある前記顧客の設計物の構造特徴を抽出して、前記ＣＡＤシンボルが表す製品の設置領域内における干渉の有無を判定するステップと、
前記発注候補の製品の設置領域において干渉が発生しないと判断された場合に、製品仕様データベースから、前記ＣＡＤシンボルに対応する製品に含まれる機器の配置規則情報を取りだし、当該配置規則情報と前記顧客設計データとに基づき、受注候補製品を前記顧客の設計物に据え付けた据付図面データを作成するステップと、
前記受注候補製品の据付図面データを前記顧客の端末へ送信するステップとを有することを特徴とする遠隔受注設計方法。
【請求項２】
請求項１記載の遠隔受注設計方法であって、
前記顧客より、発注候補の製品の指定を受信して、前記発注候補の製品に対応するＣＡＤシンボルをデータベースより読み出すことができない場合に、前記顧客より受け付けた要求仕様に基づいて、前記発注候補の製品のＣＡＤシンボルを生成するステップを更に有することを特徴とする遠隔受注設計方法。
【請求項３】
請求項１記載の遠隔受注設計方法であって、
前記顧客より、発注候補の製品の内装部品の意匠に関する要求仕様の入力をネットワーク経由で受け付けると、当該要求仕様に応じた意匠図面を作成して、前記顧客に返信するステップを、更に有することを特徴とする遠隔受注設計方法。
【請求項４】
請求項１乃至３のいずれかの請求項に記載の遠隔受注設計方法であって、
前記少なくとも１のステップにおいて、当該ステップにおける受信データと返信データとを含む情報がコンピュータの制御下で保存され、当該保存された情報を次のステップにおいて利用するための識別情報が前記返信データとともに返信され、前記コンピュータは、前記識別情報を受け付けると、当該識別情報に対応付けられた過去の受信データおよび返信データを、次のステップの受信データとして利用することを特徴とする遠隔受注設計方法。
【手続補正３】
【補正対象書類名】明細書
【補正対象項目名】０００９
【補正方法】変更
【補正の内容】
【０００９】
上記課題を解決するため、本発明は、
提供可能な自社の製品の基本仕様の一覧情報を、自らの設計物の中に前記製品を取り込んで前記設計物を設計することを検討中の顧客の要求に応じて、顧客の端末へ送信するステップと、
前記顧客が前記基本仕様の一覧情報から選んだ発注候補の製品の指定を受けて、前記発注候補の製品に対応して、少なくとも構造情報、および当該製品の設置のために確保する必要がある占有スペース情報とを含むＣＡＤシンボル情報を前記顧客の端末へ送信するステップと、
前記顧客が設計中の前記自らの設計物の中に前記ＣＡＤシンボルを位置決めして、前記設計物の中に前記製品を取り込んで設計した顧客設計データを、前記顧客の端末から受信するステップと、
前記受付けた顧客設計データから、前記顧客が位置決めしたＣＡＤシンボルの位置、占有スペース情報を基準として、その近傍にある前記顧客の設計物の構造特徴を抽出して、前記ＣＡＤシンボルが表す製品の設置領域内における干渉の有無を判定するステップと、
前記発注候補の製品の設置領域において干渉が発生しないと判断された場合に、製品仕様データベースから、前記ＣＡＤシンボルに対応する製品に含まれる機器の配置規則情報を取りだし、当該配置規則情報と前記顧客設計データとに基づき、受注候補製品を前記顧客の設計物に据え付けた据付図面データを作成するステップと、
前記受注候補製品の据付図面データを前記顧客の端末へ送信するステップとを有することを特徴とする。
【手続補正４】
【補正対象書類名】明細書
【補正対象項目名】００１０
【補正方法】変更
【補正の内容】
【００１０】
本発明に係る遠隔受注設計システムによれば、前記受注製品の要求仕様の入力元は、受注製品の占有スペースを表す占有スペース情報を含んだＣＡＤシンボルを得ることができる。受注製品の要求仕様の入力元において、このＣＡＤシンボルを含む建築データが作成されれば、この建築データから、受注製品の占有スペース内における干渉の有無を、演算処理により迅速に検出することができる。
また、受注製品の占有スペース内における干渉の発生の有無が、受注製品の要求仕様の入力元において作成された顧客設計データに基づいて迅速に自動チェックされるため、従来のように機器設計者の判断で干渉チェックを行っていた場合よりも迅速に、受注製品を適切に建屋に設置できる据付図面データを、受注製品の要求仕様の入力元に提供することができる。また、機器設計者の労力が軽減される。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】